(57)【要約】      （修正有）【課題】患者に供給されるべき呼吸に適した気体の流れを発生させるためのフロージェネレータを提供する。【解決手段】フロージェネレータ１０は、ハウジング２０と、加圧された呼吸に適した空気の流れを発生させるように構成されたブロワ３０と、ハウジング内でブロワを支持するとともに、ブロワの低圧側と高圧側との間に圧力シールを形成するためのサスペンション装置４０とを含む。サスペンション装置は、ブロワに対して少なくとも径方向に加えられた衝撃を吸収するためにブロワの外周に沿って設けられたベローズ状部と、ブロワに対して少なくとも軸方向に加えられた衝撃を吸収するためにブロワの上側面および／または下側面に沿って設けられた１つ又は２つ以上のコーンとを含む。【選択図】図９
2020018868.tif 000002
【特許請求の範囲】
【請求項１】
睡眠呼吸障害の治療のために患者に送達される呼吸に適した空気の流れを発生するフロージェネレータであって、
前記フロージェネレータは、
空気流入口および空気流出口を含む、ハウジングと、
前記ハウジング内に設けられたブロワであって、加圧された呼吸に適した空気の流れを発生するように構成されたブロワと、
前記ブロワにより前記ハウジング内へ引き込まれる空気を濾過するために前記空気流入口に設けられたエアフィルタカートリッジであって、カートリッジ本体および前記カートリッジ本体により支持されたフィルタ媒体を含むエアフィルタカートリッジと、
を備え、前記カートリッジ本体は、空気流を前記ブロワのブロワ入口から離れるように方向付けるための構造を含むフロージェネレータ。
【請求項２】
前記ハウジングは、ブロワチャンバをさらに備え、前記ブロワチャンバは、前記空気流入口と連通すると共に前記ブロワを受けて支持するように構成された請求項１に記載のフロージェネレータ。
【請求項３】
前記ブロワは、前記ブロワチャンバ内にサスペンション装置により支持された請求項２に記載のフロージェネレータ。
【請求項４】
前記カートリッジ本体は、前記エアフィルタカートリッジ内への入口開口を規定するグリル状前部または格子を含む請求項１から３のいずれか一項に記載のフロージェネレータ。
【請求項５】
前記カートリッジ本体は、空気流を方向付けるための略凹状表面を規定する弓形状の空気方向付け壁を含む請求項１から４のいずれか一項に記載のフロージェネレータ。
【請求項６】
前記エアフィルタカートリッジは、前記弓形状の空気方向付け壁が空気流を前記ブロワのブロワ入口から離れるように方向付けるべく配置されるように前記ハウジングの空気流入口に設けられた請求項５に記載のフロージェネレータ。
【請求項７】
前記弓形状の空気方向付け壁は、乱流を減らすためのマニホールドとして作用する複数の空気方向付けベーンを含む請求項５または６に記載のフロージェネレータ。
【請求項８】
前記カートリッジ本体は、前記空気流入口の一方側に沿ってインターロックするようにまたは係合するように構成された一端壁に沿う長尺状隆起部と、前記空気流入口の他方側にスナップ嵌合によりインターロックするようにまたは係合するように構成された他端壁に設けられた長尺状クリップアームと、を含む請求項１から７のいずれか一項に記載のフロージェネレータ。
【請求項９】
前記カートリッジ本体は、ユーザが前記エアフィルタカートリッジを前記ハウジングから取り外すことができるように構成されたプルタブを含む請求項８に記載のフロージェネレータ。
【請求項１０】
前記フィルタ媒体は、約５ｍｍ〜１５ｍｍの厚さを有する請求項１から９のいずれか一項に記載のフロージェネレータ。
【請求項１１】
前記ハウジングは、２つの空気流入口を含み、各空気流入口は、それぞれのエアフィルタカートリッジを支持するように構成された請求項１から１０のいずれか一項に記載のフロージェネレータ。
【請求項１２】
前記空気流入口は、前記ハウジングの空気流出口とは反対の前記ハウジングの各角部に沿って延在する請求項１１に記載のフロージェネレータ。
【発明の詳細な説明】
【技術分野】
【０００１】
[出願の相互参照]
この出願は、２０１２年３月６日に出願された米国仮出願第６１／６０７，１７６号の利益を主張するものであり、その全体が参照により本願明細書に組み入れられる。
【０００２】
本技術は、患者に供給されるべき呼吸に適した気体の流れを発生させるためのフロージェネレータに関する。一例において、フロージェネレータは、患者に呼吸治療を与えるために使用される陽性気道圧（ＰＡＰ）装置において用いられてもよい。このような治療の例は、持続的気道陽圧法（ＣＰＡＰ）処置、非侵襲的陽圧換気（ＮＩＰＰＶ）、可変気道陽圧法（ＶＰＡＰ）、および２レベル気道陽圧法である。治療は、睡眠呼吸障害（ＳＤＢ）および特に閉塞性睡眠時無呼吸（ＯＳＡ）を含む様々な呼吸状態の処置のために使用される。
【背景技術】
【０００３】
フロージェネレータは、様々な呼吸状態の処置のために呼吸に適した気体の流れを発生させるべく使用される。フロージェネレータは、呼吸に適した気体の流れを患者の気道へ供給するために、患者インタフェース、例えばマスクに接続されるように構成される場合がある。
【先行技術文献】
【特許文献】
【０００４】
【特許文献１】国際特許出願第ＰＣＴ／ＡＵ２０１０／００１０３１号
【特許文献２】国際特許出願第ＰＣＴ／ＡＵ２０１０／００１１０６号
【特許文献３】米国仮出願第６１／４５７，２７３号
【特許文献４】米国仮出願第６１／４５７，８５８号
【特許文献５】米国特許出願公開第２００９／００４４８０８号
【特許文献６】米国仮出願第６１／４５７，５２６号
【特許文献７】米国仮出願第６１／６３０，９２０号
【発明の概要】
【発明が解決しようとする課題】
【０００５】
呼吸に適した気体の流れを発生させるためにブロワがフロージェネレータに設けられる。ブロワは、例えばインペラが装着されたシャフトを含む回転部品と非回転部品とを備えるモータを備えてもよい。モータの動作は、ノイズおよび振動を発生させる場合がある。治療が患者へ就寝中に与えられる際には、ノイズおよび振動の発生が治療の効果を下げる場合がある。
【課題を解決するための手段】
【０００６】
開示される技術の一態様は、ハウジング内でブロワを支持するとともにブロワの低圧側と高圧側との間に圧力シールを形成するように構成されたサスペンション装置を含むフロージェネレータに関する。
【０００７】
開示される技術の他の態様は、フロージェネレータであって、フロージェネレータの任意の方向の動作を可能にするべくハウジング内でブロワを支持するように構成されたサスペンション装置を含むフロージェネレータに関する。
【０００８】
開示される技術の他の態様は、ハウジング内でブロワを支持するとともにブロワに対して径方向および軸方向に加えられた衝撃を吸収するように構成されたサスペンション装置を含むフロージェネレータに関する。一例において、サスペンション装置は、ブロワに対して少なくとも径方向に加えられた衝撃を吸収するためにブロワの外周に沿って設けられたベローズ状部と、ブロワに対して少なくとも軸方向に加えられた衝撃を吸収するためにブロワの上側面および／または下側面に沿って設けられた１つまたは２つ以上のコーンと、を含んでもよい。
【０００９】
開示される技術の他の態様は、ブロワを支持するためのブロワチャンバを有するハウジングを含むフロージェネレータに関し、ブロワチャンバは、空気がブロワにその低圧側で入ることができるようにするための少なくとも１つの開口と、空気がブロワチャンバからその高圧側で出ることができるようにするための少なくとも１つの開口と、を含む。
【００１０】
開示される技術の他の態様は、空気流路の外側でＰＣＢを受けて支持するように構成されたハウジングを含むフロージェネレータに関する。
【００１１】
開示される技術の他の態様は、例えば吸気中の乱流／高周波ノイズを減少させるため、美観のために流入口のエアフィルタを隠すあるいは調和させるために、その側壁の外周に沿って１つまたは２つ以上の壁リブを有するハウジングを含むフロージェネレータに関する。
【００１２】
開示される技術の他の態様は、給電コード接続部が、ＰＣＢからハウジングの外側へと直接延在するリード線を含む、フロージェネレータに関する。
【００１３】
開示される技術の他の態様は、ハウジングを含むとともに、ハウジングが、例えばリビングヒンジによりハウジングのトップカバーに移動可能に装着されたインタフェースボタンを有し、これによりボタンが、トップカバー内に収容されるＰＣＢに設けられるスイッチを作動させることができる、フロージェネレータに関する。
【００１４】
開示される技術の他の態様は、例えばリード線を使用することなくＰＣＢに直接接続されるマグネットワイヤを有するブロワを含むフロージェネレータに関する。
【００１５】
開示される技術の他の態様は、乱気流を防止するのに適したサイズの断面領域を与える空気流路を含むフロージェネレータに関する。
【００１６】
開示される技術の他の態様は、ノイズを減少させるために反射面を与える空気流路を含むフロージェネレータに関する。
【００１７】
開示される技術の他の態様は、流入空気を濾過するために取り外し可能なエアフィルタを流入口に含むフロージェネレータに関する。
【００１８】
開示される技術の他の態様は、空気を方向付けて吸音するために空気流路に沿って１つまたは２つ以上の発泡体片を含むフロージェネレータに関する。
【００１９】
開示される技術の他の態様は、ハウジングと、加圧された呼吸に適した空気の流れを発生させるように構成されたブロワと、ハウジング内でブロワを支持するとともにブロワの低圧側と高圧側との間に圧力シールを形成するためのサスペンション装置と、を含むフロージェネレータに関する。サスペンション装置は、ブロワに対して少なくとも径方向に加えられた衝撃を吸収するためにブロワの外周に沿って設けられたベローズ状部と、ブロワに対して少なくとも軸方向に加えられた衝撃を吸収するためにブロワの上側面および／または下側面に沿って設けられた１つまたは２つ以上のコーンと、を含んでもよい。
【００２０】
開示される技術の他の態様は、流入口および流出口を含むハウジングと、ハウジングに設けられ、加圧された呼吸に適した空気の流れを発生させるように構成されたブロワと、を含むフロージェネレータに関する。ハウジングは、乱気流を防止するのに十分なサイズのその長さに沿って断面積を与える流入口から流出口へと向かう空気流路を含む。断面積は、１０ｍ／ｓ未満の流速、例えば約５〜６ｍ／ｓの流速を与えるのに十分なサイズを有してもよい。
【００２１】
開示される技術の他の態様は、流入口および流出口を含むハウジングと、ハウジングに設けられ、加圧された呼吸に適した空気の流れを発生させるように構成されたブロワと、を含むフロージェネレータに関する。ハウジングは、ノイズを減少させるためにその長さに沿って１つまたは２つ以上の反射面を与える流入口から流出口へと向かう空気流路を含む。ハウジングは、流入口を通して逆放射されるノイズを防止するように、ブロワに対するノイズバリアを与えるために、および／またはブロワからのノイズを反射させるために、反射面を有する１つまたは２つ以上の空気流ベーンを含んでもよい。１つまたは２つ以上の空気流ベーンは、流入口から流入する空気流を方向付けるために流入口付近に設けられてもよい。
【００２２】
開示される技術の他の態様は、ハウジングと、加圧された呼吸に適した空気の流れを発生させるように構成されたブロワと、フロージェネレータの任意のあるいはほぼ任意の方向の動作（例えば通常の患者治療のための動作）を可能にするためにブロワをハウジング内で少なくとも部分的に支持するように構成されたサスペンション装置と、を含むフロージェネレータに関する。
【００２３】
開示される技術の他の態様は、流入口および流出口を含むハウジングと、ハウジングにあるいはハウジング内に設けられ、加圧された呼吸に適した空気の流れを発生させるように構成されたブロワと、ブロワによりハウジング内へ引き込まれる空気を濾過するために例えば流入口に設けられたエアフィルタカートリッジと、を含むフロージェネレータに関する。エアフィルタカートリッジは、カートリッジ本体と、カートリッジ本体により支持されたフィルタ媒体と、を含んでもよい。カートリッジ本体は、空気流をブロワのブロワ入口から離れるように少なくとも部分的に方向付けるための構造を含んでもよい。
【００２４】
この技術の他の態様、特徴、および、利点は、この開示の一部であり且つこの技術の原理を一例として示す添付図面を併せて解釈すると、以下の詳細な説明から明らかになる。
【００２５】
添付図面は、この技術の様々な例の理解を容易にする。
【図面の簡単な説明】
【００２６】
【図１】本技術の一例に係るフロージェネレータの上面斜視図である。
【図２】トップカバーが半透明で示される図１のフロージェネレータの斜視図である。
【図３】ＰＣＢを示すためにトップカバーが除去された図１のフロージェネレータの斜視図である。
【図４】トップカバーおよびＰＣＢが除去された図１のフロージェネレータの斜視図である。
【図５】トップカバーが半透明で示される図１のフロージェネレータの他の斜視図である。
【図６】ＰＣＢを示すためにトップカバーが除去された図１のフロージェネレータの他の斜視図である。
【図７】トップカバーおよびＰＣＢが除去された図１のフロージェネレータの他の斜視図である。
【図８】図１のフロージェネレータの下面斜視図である。
【図９】ブロワおよびサスペンション装置を示すためにボトムカバーが除去された図１のフロージェネレータの下面斜視図である。
【図１０】トップカバーおよびＰＣＢが除去された図１のフロージェネレータの他の斜視図である。
【図１１】図１のフロージェネレータのボトムカバー、ブロワ、およびサスペンション装置の斜視図である。
【図１２】図１のフロージェネレータのボトムカバーの斜視図である。
【図１３】図１のフロージェネレータの筐体の斜視図である。
【図１４】図１のフロージェネレータの筐体の他の斜視図である。
【図１５】図１のフロージェネレータの断面図である。
【図１６】図１のフロージェネレータの断面図である。
【図１７】図１のフロージェネレータの断面図である。
【図１８】図１のフロージェネレータの断面図である。
【図１９】図１のフロージェネレータの断面図である。
【図２０】図１のフロージェネレータの断面図である。
【図２１】図１のフロージェネレータの断面図である。
【図２２】図１のフロージェネレータの断面図である。
【図２３−１】本技術の他の例に係るフィルタの図を示す。
【図２３−２】本技術の他の例に係るフィルタの図を示す。
【図２３−３】本技術の他の例に係るフィルタの図を示す。
【図２３−４】本技術の他の例に係るフィルタの図を示す。
【図２３−５】本技術の他の例に係るフィルタの図を示す。
【図２３−６】本技術の他の例に係るフィルタの図を示す。
【図２３−７】本技術の他の例に係るフィルタの図を示す。
【図２４−１】本技術の他の例に係るサスペンション装置を含むフロージェネレータの断面図を示す。
【図２４−２】本技術の他の例に係るサスペンション装置を含むフロージェネレータの断面図を示す。
【図２５−１】本技術の他の例に係るフロージェネレータの図を示す。
【図２５−２】本技術の他の例に係るフロージェネレータの図を示す。
【図２５−３】本技術の他の例に係るフロージェネレータの図を示す。
【図２５−４】本技術の他の例に係るフロージェネレータの図を示す。
【図２５−５】本技術の他の例に係るフロージェネレータの図を示す。
【図２５−６】本技術の他の例に係るフロージェネレータの図を示す。
【図２５−７】本技術の他の例に係るフロージェネレータの図を示す。
【図２５−８】本技術の他の例に係るフロージェネレータの図を示す。
【図２５−９】本技術の他の例に係るフロージェネレータの図を示す。
【図２５−１０】本技術の他の例に係るフロージェネレータの図を示す。
【図２５−１１】本技術の他の例に係るフロージェネレータの図を示す。
【図２６−１】本技術の他の例に係るフロージェネレータの図を示す。
【図２６−２】本技術の他の例に係るフロージェネレータの図を示す。
【図２６−３】本技術の他の例に係るフロージェネレータの図を示す。
【図２７−１】本技術の他の例に係るフロージェネレータの図を示す。
【図２７−２】本技術の他の例に係るフロージェネレータの図を示す。
【図２７−３】本技術の他の例に係るフロージェネレータの図を示す。
【図２８】本技術の他の例に係るフロージェネレータの概略図である。
【図２９−１】本技術の他の例に係るフロージェネレータの図を示す。
【図２９−２】本技術の他の例に係るフロージェネレータの図を示す。
【図２９−３】本技術の他の例に係るフロージェネレータの図を示す。
【図３０】本技術の他の例に係るフロージェネレータを示す。
【図３１−１】本技術の他の例に係るフロージェネレータの図を示す。
【図３１−２】本技術の他の例に係るフロージェネレータの図を示す。
【図３２−１】本技術の他の例に係るフロージェネレータの図を示す。
【図３２−２】本技術の他の例に係るフロージェネレータの図を示す。
【図３２−３】本技術の他の例に係るフロージェネレータの図を示す。
【図３３】本技術の一例に係るフードを伴うハウジングを含むフロージェネレータを示す。
【図３４−１】本技術の他の例に係るフロージェネレータの図を示す。
【図３４−２】本技術の他の例に係るフロージェネレータの図を示す。
【図３５−１】本技術の他の例に係るフロージェネレータの図を示す。
【図３５−２】本技術の他の例に係るフロージェネレータの図を示す。
【図３６−１】本技術の他の例に係るフロージェネレータの図を示す。
【図３６−２】本技術の他の例に係るフロージェネレータの図を示す。
【図３６−３】本技術の他の例に係るフロージェネレータの図を示す。
【図３７】本技術の他の例に係るフロージェネレータを示す。
【図３８】本技術の他の例に係るフロージェネレータを示す。
【図３９】本技術の他の例に係るフロージェネレータを示す。
【図４０】本技術の別の例に係るフロージェネレータの概略図である。
【図４１】本技術の別の例に係るフロージェネレータの概略図である。
【図４２】本技術の別の例に係るフロージェネレータの概略図である。
【図４３】本技術の別の例に係るフロージェネレータの概略図である。
【図４４】本技術の別の例に係るフロージェネレータの概略図である。
【図４５】本技術の別の例に係るフロージェネレータの概略図である。
【図４６】本技術の別の例に係るフロージェネレータの概略図である。
【図４７】本技術の別の例に係るフロージェネレータの概略図である。
【図４８−１】本技術の別の例に係るフロージェネレータのためのインタフェースボタンを示す。
【図４８−２】本技術の別の例に係るフロージェネレータのためのインタフェースボタンを示す。
【図４９】本技術の別の例に係るフロージェネレータのためのインタフェースボタンを示す。
【図５０】本技術の別の例に係るフロージェネレータのためのインタフェースボタンを示す。
【図５１】本技術の別の例に係るフロージェネレータのためのインタフェースボタンを示す。
【図５２−１】本技術の別の例に係るフロージェネレータのためのインタフェースボタンを示す。
【図５２−２】本技術の別の例に係るフロージェネレータのためのインタフェースボタンを示す。
【図５３】本技術の別の例に係るフロージェネレータ内にマイクロホンを装着するための別の構成を示す。
【図５４】本技術の別の例に係るフロージェネレータ内にマイクロホンを装着するための別の構成を示す。
【図５５】本技術の別の例に係るフロージェネレータ内にマイクロホンを装着するための別の構成を示す。
【図５６】本技術の別の例に係るフロージェネレータ内にマイクロホンを装着するための別の構成を示す。
【図５７】本技術の別の例に係るフロージェネレータ内にマイクロホンを装着するための別の構成を示す。
【図５８】本技術の別の例に係るフロージェネレータのための別のハウジング構成および／またはサスペンション構成を示す。
【図５９】本技術の別の例に係るフロージェネレータのための別のハウジング構成および／またはサスペンション構成を示す。
【図６０】本技術の別の例に係るフロージェネレータのための別のハウジング構成および／またはサスペンション構成を示す。
【図６１】本技術の別の例に係るフロージェネレータのための別のハウジング構成および／またはサスペンション構成を示す。
【図６２】本技術の別の例に係るフロージェネレータのための別のハウジング構成および／またはサスペンション構成を示す。
【図６３】本技術の別の例に係るフロージェネレータのための別のハウジング構成および／またはサスペンション構成を示す。
【図６４】本技術の別の例に係るフロージェネレータのための別のハウジング構成および／またはサスペンション構成を示す。
【図６５】本技術の別の例に係るフロージェネレータのための別のハウジング構成および／またはサスペンション構成を示す。
【図６６】本技術の別の例に係るフロージェネレータのための別のハウジング構成および／またはサスペンション構成を示す。
【図６７】本技術の別の例に係るフロージェネレータのための別のハウジング構成および／またはサスペンション構成を示す。
【図６８】本技術の別の例に係るフロージェネレータのための別のハウジング構成および／またはサスペンション構成を示す。
【図６９】本技術の別の例に係るフロージェネレータのための別のハウジング構成および／またはサスペンション構成を示す。
【図７０】本技術の別の例に係るフロージェネレータのための別のハウジング構成および／またはサスペンション構成を示す。
【図７１】本技術の別の例に係るフロージェネレータのための別のハウジング構成および／またはサスペンション構成を示す。
【図７２】本技術の他の例に係るフロージェネレータを示す。
【図７３】本技術の他の例に係るフロージェネレータを示す。
【図７４】本技術の他の例に係るフロージェネレータを示す。
【図７５】本技術の他の例に係るフロージェネレータを示す。
【図７６】本技術の別の例に係る空気流路を含むフロージェネレータの概略図である。
【図７７】本技術の別の例に係る空気流路を含むフロージェネレータの概略図である。
【図７８】本技術の別の例に係る空気流路を含むフロージェネレータの概略図である。
【図７９】本技術の別の例に係る空気流路を含むフロージェネレータの概略図である。
【図８０−１】本技術の他の例に係るフロージェネレータを示す。
【図８０−２】本技術の他の例に係るフロージェネレータを示す。
【図８０−３】本技術の他の例に係るフロージェネレータを示す。
【図８０−４】本技術の他の例に係るフロージェネレータを示す。
【図８０−５】本技術の他の例に係るフロージェネレータを示す。
【図８１−１】本技術の他の例に係るフロージェネレータを示す。
【図８１−２】本技術の他の例に係るフロージェネレータを示す。
【図８１−３】本技術の他の例に係るフロージェネレータを示す。
【図８１−４】本技術の他の例に係るフロージェネレータを示す。
【図８１−５】本技術の他の例に係るフロージェネレータを示す。
【図８２−１】本技術の他の例に係るフロージェネレータを示す。
【図８２−２】本技術の他の例に係るフロージェネレータを示す。
【図８２−３】本技術の他の例に係るフロージェネレータを示す。
【図８３−１】本技術の他の例に係るフロージェネレータを示す。
【図８３−２】本技術の他の例に係るフロージェネレータを示す。
【図８３−３】本技術の他の例に係るフロージェネレータを示す。
【図８４】本技術の別の例に係るフロージェネレータのＰＣＢ上に設けられた機能部を作動させるための別の例を示す。
【図８５】本技術の別の例に係るフロージェネレータのＰＣＢ上に設けられた機能部を作動させるための別の例を示す。
【図８６】本技術の別の例に係るフロージェネレータのＰＣＢ上に設けられた機能部を作動させるための別の例を示す。
【図８７】本技術の一例に係るフロージェネレータにおける隙間寸法を示す概略図である。
【図８８】本技術の別の例に係るフロージェネレータにおけるＰＣＢの別の形状および位置を示す。
【図８９】本技術の別の例に係るフロージェネレータにおけるＰＣＢの別の形状および位置を示す。
【図９０】本技術の別の例に係るフロージェネレータにおけるＰＣＢの別の形状および位置を示す。
【図９１】本技術の別の例に係るフロージェネレータにおけるＰＣＢの別の形状および位置を示す。
【図９２−１】本技術の別の例に係るフロージェネレータにおけるエアフィルタ構成を示す。
【図９２−２】本技術の別の例に係るフロージェネレータにおけるエアフィルタ構成を示す。
【図９３−１】本技術の別の例に係るフロージェネレータにおけるエアフィルタ構成を示す。
【図９３−２】本技術の別の例に係るフロージェネレータにおけるエアフィルタ構成を示す。
【図９４−１】本技術の別の例に係るフロージェネレータにおけるエアフィルタ構成を示す。
【図９４−２】本技術の別の例に係るフロージェネレータにおけるエアフィルタ構成を示す。
【図９５】本技術の別の例に係るフロージェネレータにおけるエアフィルタ構成を示す。
【図９６】本技術の別の例に係るフロージェネレータのＰＣＢからハウジングの外側へとリード線またはケーブルを経路付けるための別の構成を示す。
【図９７】本技術の別の例に係るフロージェネレータのＰＣＢからハウジングの外側へとリード線またはケーブルを経路付けるための別の構成を示す。
【図９８】本技術の別の例に係るフロージェネレータのＰＣＢからハウジングの外側へとリード線またはケーブルを経路付けるための別の構成を示す。
【図９９】本技術の別の例に係るフロージェネレータのＰＣＢからハウジングの外側へとリード線またはケーブルを経路付けるための別の構成を示す。
【図１００】本技術の別の例に係るフロージェネレータのＰＣＢからハウジングの外側へとリード線またはケーブルを経路付けるための別の構成を示す。
【図１０１−１】本技術の一例に係るフロージェネレータの図を示す。
【図１０１−２】本技術の一例に係るフロージェネレータの図を示す。
【図１０１−３】本技術の一例に係るフロージェネレータの図を示す。
【図１０１−４】本技術の一例に係るフロージェネレータの図を示す。
【図１０１−５】本技術の一例に係るフロージェネレータの図を示す。
【図１０１−６】本技術の一例に係るフロージェネレータの図を示す。
【図１０１−７】本技術の一例に係るフロージェネレータの図を示す。
【図１０１−８】本技術の一例に係るフロージェネレータの図を示す。
【図１０１−９】本技術の一例に係るフロージェネレータの図を示す。
【図１０１−１０】本技術の一例に係るフロージェネレータの図を示す。
【図１０１−１１】本技術の一例に係るフロージェネレータの図を示す。
【図１０２−１】本技術の一例に係るエアフィルタの図を示す。
【図１０２−２】本技術の一例に係るエアフィルタの図を示す。
【図１０２−３】本技術の一例に係るエアフィルタの図を示す。
【図１０２−４】本技術の一例に係るエアフィルタの図を示す。
【図１０２−５】本技術の一例に係るエアフィルタの図を示す。
【図１０２−６】本技術の一例に係るエアフィルタの図を示す。
【図１０２−７】本技術の一例に係るエアフィルタの図を示す。
【図１０２−８】本技術の一例に係るエアフィルタの図を示す。
【図１０２−９】本技術の一例に係るエアフィルタの図を示す。
【図１０３−１】本技術の一例に係るフロージェネレータにおけるエアフィルタ構成の図を示す。
【図１０３−２】本技術の一例に係るフロージェネレータにおけるエアフィルタ構成の図を示す。
【図１０３−３】本技術の一例に係るフロージェネレータにおけるエアフィルタ構成の図を示す。
【図１０３−４】図１０３−１〜図１０３−３に示されるエアフィルタ構成のエアフィルタの斜視図を示す。
【図１０３−５】図１０３−１〜図１０３−３に示されるエアフィルタ構成のエアフィルタの斜視図を示す。
【図１０４】空気供給管路を介して患者インタフェースまたはマスクと連通される本技術の一例に係るフロージェネレータを示す斜視図である。
【発明を実施するための形態】
【００２７】
以下の説明は、共通の特性および特徴を共有してもよい幾つかの例（その大部分が図示され、その一部が図示されない場合がある）に関連して与えられる。言うまでもなく、任意の１つの例の１つまたは２つ以上の特徴が他の例の１つまたは２つ以上の特徴と組み合わされてもよい。また、任意の１または複数の例における任意の単一の特徴または特徴の組み合わせが特許可能な主題を構成してもよい。
【００２８】
本明細書において、「備えている（comprising）」という用語は、その「開かれた」意味で、すなわち「含んでいる（including）」という意味で理解されなければならず、したがって、その「閉じられた」意味、すなわち、「からのみ成っている（consisting only of）」という意味に限定されてはならない。対応する意味は、それらが現れる、対応する「備える（comprise）」、「備えられる（comprised）」、および「備える（comprises）」という用語に帰属されなければならない。
【００２９】
「空気（エア）」という用語は、呼吸に適した気体、例えば酸素補給を伴う空気を含むように解釈され得る。
１．ＰＡＰシステム
【００３０】
ＰＡＰシステムは、一般に、フロージェネレータまたはＰＡＰ装置（陽圧の空気を発生させるためのブロワを含む）、空気供給管路（チューブまたはチュービングとも称される）、および患者インタフェース（例えばマスク）を含む。使用時、フロージェネレータは、空気供給管路を介して患者インタフェースへ供給される所定量の加圧空気（例えば２〜３０ｃｍＨ２Ｏ）を発生させる。患者インタフェースまたはマスクは、この種の技術分野において知られるような適した形態を有してもよく、例えば、フルフェースマスク、鼻マスク、口鼻マスク、口マスク、ノズル、鼻カニューレ、鼻ピロー、カニューレなどであってもよい。また、患者の顔面上の所望の位置で患者インタフェースを快適に支持するためにヘッドギアが利用されてもよい。
【００３１】
特定の例は、フロージェネレータが患者の頭部で着用されるように構成された、フロージェネレータが患者インタフェースまたはマスクに内蔵あるいは組み込まれる、フロージェネレータが患者により着用可能または支持される、フロージェネレータが携帯可能である、フロージェネレータのサイズが減少される、あるいはこれらの組み合わせであるＰＡＰシステムに関連する。特定の例において、ＰＡＰシステムは特許文献１および／または特許文献２に記載のタイプを成してもよく、これらの各出願は、その全体が参照することにより本願に組み入れられる。
【００３２】
他の例において、ＰＡＰシステムは、２０１１年２月１６日に出願された特許文献３および２０１１年６月２１日に出願された特許文献４に記載の着用可能なタイプを成してもよく、これらの各出願は、その全体が参照により本願に組み入れられる。
２．フロージェネレータ
【００３３】
図１〜図２２は、本技術の一例に係るフロージェネレータ１０を示す。図示のように、フロージェネレータ１０は、所定量の加圧空気を発生させるためのブロワ３０を収容して支持するハウジング２０を含む。ブロワ３０とともに、ハウジングは、他の内部構成要素、例えばサスペンション装置４０、ブロワを制御するためのプリント回路基板（ＰＣＢ）５０、および／またはエアフィルタ７０を、収容あるいは支持する。フロージェネレータは、電源を含んでもよく、あるいは好ましくは給電コードを介して外部電源に結合される。
２．１  ハウジング
【００３４】
フロージェネレータ（ＦＧ）ハウジング２０は、筐体または主ハウジング２２、筐体の一方側に設けられた第１カバーまたはトップカバー２４、および筐体の反対側に設けられた第２カバーまたはボトムカバー２６を含む。図示のように、ＦＧハウジング２０は、好ましくは湾曲した縁部または角部を伴う略長方形形状を有するとともに、比較的扁平である。すなわち、第１カバーまたはトップカバー２４および第２カバーまたはボトムカバー２６は、２つの側面および２つの端面のそれぞれと比べて相対的に大きな表面積を有する。しかしながら、ＦＧハウジング２０は、様々な異なる形状に形成されてもよい。
【００３５】
一例において、筐体２２、トップカバー２４、およびボトムカバー２６は、プラスチック材料から形成（例えば成型）されてもよい。しかしながら、他の適した材料が想定し得ることは言うまでもない。
【００３６】
図示のように、筐体２２およびボトムカバー２６は、以下でさらに詳しく説明されるように、ＦＧハウジング２０内でブロワ３０を受けて支持するように構成されたブロワチャンバ２５を画定するように協働する。ブロワチャンバ２５は、その低圧側で空気がブロワ内に入ることができるようにするための少なくとも１つの開口と、その高圧側で空気がブロワチャンバ２５から抜け出ることができるようにするための少なくとも１つの開口と、を含む。
【００３７】
ブロワ３０は、例えば２〜３０ｃｍＨ２Ｏの範囲の加圧された呼吸に適した空気の流れを発生させるように構成される。一例において、ブロワ３０は、２０１１年４月１８日に出願された特許文献６および２０１１年１２月２２日に出願された特許文献７に記載のタイプを成してもよい。しかしながら、言うまでもなく、ハウジングは、他の適したブロワを受けて支持するように構成されてもよい。
【００３８】
空気は、ブロワ３０により空気流入口２７（および空気流入口２７のエアフィルタ７０）を通してＦＧハウジング２０内に引き込まれて入口チャンバ３３に入り、また、所定量の加圧空気が空気流出口２９を通してＦＧハウジング２０から抜け出る。後述するように、ブロワ３０は、サスペンション装置または支持装置４０（例えば、シリコーンなどの可撓性エラストマー材料から構成される）によりブロワチャンバ２５内に支持され、サスペンション装置または支持装置４０は、ブロワを弾性的に支持するとともに、ブロワ３０の低圧側である入口側または入口３２と高圧側である出口側または出口３４との間に、シール（例えば３６０°シール）をもたらす（図９および図１６参照）。ブロワチャンバ２５は、ブロワおよびサスペンション装置４０をＦＧハウジング２０内で保持する。一例において、サスペンション装置は、屈曲できる、撓むことができる、および／または延在することができるが、使用中に構造的完全性を維持するのに十分剛性が高く弾力性がある可撓性材料から構成されてもよい。
【００３９】
また、図５〜図８に示されるように、筐体２２およびトップカバー２４は、プリント回路基板（ＰＣＢ）５０を受けて支持するべく協働する。図示のように、ＰＣＢ５０は、空気流が電子機器上にわたって流れないように空気流路の外側で支持される。
扁平
【００４０】
図１０１−１〜図１０１−１１は、本技術の一例に係るフロージェネレータ６５１０を示す。このような例はフロージェネレータ１０に類似する。その一方で、この例は、（それぞれその全体が参照により本願に組み入れられる２０１１年４月１８日に出願された特許文献６および２０１１年１２月２２日に出願された特許文献７に記載の）典型的なブロワの更なる詳細を示すとともに、入口開口にあるエアフィルタまたはフィルタカートリッジの他の例を示し、また、例えば音響発泡体（acoustic foam）の典型的な位置決めを示す。
【００４１】
図示の例において、フロージェネレータ１０、６５１０は、比較的小さく平坦、すなわち扁平形態である。一例では、図１０１−１に示されるように、フロージェネレータは、約１３０〜１５０ｍｍ（例えば１３９ｍｍ）の長さＬ、約９０〜１１０ｍｍ（例えば１０２ｍｍ）の幅Ｗ、および約４０〜６０ｍｍ（例えば５０ｍｍ）の高さを有してもよい。しかしながら、他の適した寸法が想定し得ることは言うまでもない。
【００４２】
フロージェネレータがさらに小さく／さらに平坦にされる典型的な態様を、以下で詳述する。例えば、図１０１−８および図１０１−９に最も良く示されるように、ブロワ６５３０は、モータ構成要素をインペラと同じ平面内に組み込む。すなわち、モータ構成要素のうちの１つまたは２つ以上の少なくとも何らかの部分が、インペラ内に入れ子にされる。図示のように、インペラ６５０１は、モータ６５０２（ステータ構成要素６５０２−１、マグネット６５０２−２、およびロータキャップ６５０２−３を含む）の周囲に位置される。ベアリングハウジング構造体またはディフューザ６５０３は、ブロワ入口６５３２に引き込まれる空気をインペラ６５０１からブロワ出口６５３４へと方向付ける。図示のように、ブロワ入口６５３２およびブロワ出口６５３４は、軸方向入口および軸方向出口であってもよい。ベアリングハウジング構造体６５０３は、ブロワ構造を簡略化するため、および、ステータ構成要素６５０２−１、ロータアセンブリ（ロータキャップ６５０２−３、マグネット６５０２−２、およびロータ６５０７）、および、ブロワハウジング６５０８の間の接続ポイントとして作用するために、小型ベアリングを有するベアリングカートリッジ６５０６も支持する。
【００４３】
平坦なブロワ６５３０は、ブロワ入口６５３２およびブロワ出口６５３４とブロワハウジングの隣接する壁との間に隙間を有するサスペンション装置または支持装置６５４０内に入れ子にされる。サスペンション装置６５４０は、シリコーンなどの可撓性エラストマー材料から構成されることが好ましい。一例において、この隙間距離または間隔距離は、以下でさらに詳しく説明されるように、約１０ｍｍである。サスペンション装置は、軸方向の衝撃吸収体として使用されるコーン６５４８を含む。一方、径方向ベローズ状部６５４６は、以下でさらに詳しく説明されるように、径方向の衝撃吸収体として作用する。サスペンション装置６５４０は、フロージェネレータ６５１０が任意の方向で動作され得るように、左右対称となるべく構成される。
【００４４】
音響発泡体６５３５が、ブロワ６５３０と隣り合うノイズ吸収として使用される。図示のように、一片の音響発泡体６５３５が、ブロワ入口６５３２付近でＦＧハウジング６５２０に沿って設けられ、また、一片の音響発泡体６５３５が、ブロワ出口６５３４付近でＦＧハウジング６５２０に沿って設けられる。空気流に適した隙間を許容するために、穴が一片のそれぞれの音響発泡体にカットされる。しかしながら、別の例において、音響発泡体片は、ブロワ入口６５３２およびブロワ出口６５３４の近傍でＦＧハウジング表面全体を覆ってもよい。一例において、一片の音響発泡体６５３５のそれぞれは、約５ｍｍの厚さを有するが、他の適した厚さ、例えば５ｍｍ以上、１０ｍｍを超える厚さも想定し得る。
【００４５】
フロージェネレータ６５１０は、以下でさらに詳しく説明されるように、エアフィルタ６５７０と、音響ノイズ吸収用の音響発泡体６５３５と、放射ノイズを減少させるための半ば曲がりくねった経路（例えば、図１０１−１０および図１０１−１１参照）と、を備える入口チャンバ６５３３を有する。
【００４６】
プリント回路基板（ＰＣＢ）６５５０は、ブロワ制御のための大部分または全てのハードウェアと、ユーザインタフェースと、を含む。ＰＣＢ６５５０は、空気流およびノイズ減少機能への影響を最小にして最大サイズを可能にするために、フロージェネレータ空気通路の外側に位置付けられる。前述したように、フロージェネレータ（ＦＧ）ハウジング６５２０は、筐体６５２２、筐体６５２２の一方側に設けられたトップカバー６５２４、および筐体６５２２の反対側に設けられたボトムカバー６５２６を含む。
【００４７】
電源は、フロージェネレータサイズを最小にするために、フロージェネレータの外側に位置される。
【００４８】
サスペンション装置６５４０は、例えばフロージェネレータ６５１０が、場合によりユーザとともにベッドに位置され、その結果、夜間にフロージェネレータ６５１０がぶつけられあるいは移動される場合があるときに、フロージェネレータが任意の方向で（表を上にして、逆さまに、斜めに、および／または縁を接して）動作され得るように、左右対称となるように形成されている。フロージェネレータが使用中にベッドの中のユーザにより転がされた場合に、不用意な作動または作動停止の機会を減らすべく、ユーザインタフェースのためのボタン６５８０の周囲にボタンリム６５８０−１（例えば、図１０１−１および図１０１−３参照）が形成されている。また、ユーザインタフェースは、ユーザがフロージェネレータを意図的に作動停止しなければならないように、また、ユーザまたはベッドパートナーが自分達の就寝時にフロージェネレータを転がす場合に、フロージェネレータが作動停止される可能性が高くないように、「ダブルクリック」作動停止機能または同様の機能も含む。
【００４９】
空気流入口６５２７は、ベッドにあるときに空気流入口が塞がれる機会を減らすために、フロージェネレータ６５１０の中心部分に位置され、また、特に、空気流入口は、フロージェネレータの載置面となる可能性が高いフロージェネレータの最も広い側面上に位置されない。空気流出口６５２９は、図示のようにフロージェネレータ６５１０の反対側にあるいは空気流入口６５２７と同じ側を含むフロージェネレータ６５１０の任意の側（図示省略）に位置されてもよい。
【００５０】
小さい扁平なフロージェネレータ６５１０は、幾つかのノイズ低減機能を含む。主なノイズ低減は、ノイズ源、すなわちブロワで着手された。例えば、ブロワ入口６５３２の直径は、ブロワ６５３０からの放射ノイズを最小限に抑えるために調整された。ブロワの空気体積共振（air volume resonance）を減らすために、ブロワ入口６５４３のチムニーの高さも調整された。前述したように、音響ノイズ吸収発泡体は、ブロワチャンバ６５２５内およびフロージェネレータハウジングの入口チャンバ６５３３内で使用されるとともに、より低いサイズ制限を含むが依然として有効なノイズ低減をもたらすように構成された。より厚いエアフィルタ媒体６５７４がエアフィルタ６５７０と併せて使用された。エアフィルタ６５７０は、空気をブロワ入口６５２７から離れるように方向付けた後、ブロワを通した乱流を減らすためにマニホールドとして作用する多数のベーン６５７７に通す。
２．１．１  筐体
【００５１】
図１〜図１４を参照すると、筐体２２は、主筐体壁６２と、筐体内部６４を画定するように主筐体壁６２から延在する側壁６３と、を含む。主筐体壁６２は、筐体内部を画定する内部側６２−１（図１４参照）と、外部側６２−２と、を含む。
【００５２】
締結具レセプタクル６９−１が筐体内部の内側に設けられ、この締結具レセプタクル６９−１は、ボトムカバー２６を筐体２２に固定するように構成された締結具を受けるように構成される（例えば、図９および図１４参照）。また、締結具レセプタクル６９−２が筐体に設けられ、この締結具レセプタクル６９−２は、トップカバー２４を筐体に固定するように構成された締結具を受けるように構成される（例えば、図１０および図１３参照）。
流出口
【００５３】
図１〜図２２を参照すると、空気流出口２９が側壁６３に設けられ、この空気流出口２９は、呼吸に適した気体の流れを患者インタフェースへ供給するために空気供給チューブまたは管路５に接続されるように構成されている。図示のように、空気流出口２９は、ＦＧハウジング２０の長手方向軸に対して、オフセットしているあるいは非対称である。しかしながら、空気流出口２９が他の適した態様で配置されてもよく、例えば中心出口または対称な出口であってもよいことは言うまでもない。
【００５４】
図１０４は、空気供給管路５を介して患者インタフェースまたはマスク７と連通されるフロージェネレータ１０の一例を示す。図示の例において、患者インタフェースは、例えば、その全体が参照により本願に組み入れられる特許文献５に開示の鼻カニューレアセンブリを含む。しかしながら、言うまでもなく、患者インタフェースまたはマスクは、この種の技術分野において知られるような他の適した形態を有してもよく、例えば、フルフェースマスク、鼻マスク、口鼻マスク、口マスク、ノズル、鼻カニューレ、鼻ピロー、カニューレなどであってもよい。
流入口
【００５５】
空気流入口２７が、側壁６３に設けられる。図示のように、空気流入口２７は、空気流出口２９とは反対の筐体２２の側に設けられる。空気流入口２７は、エアフィルタ７０を受けるあるいは支持する。しかしながら、空気流入口２７が他の適した態様で配置されてもよいことは言うまでもない。一例においては、フロージェネレータがベッド内または寝具類の下側に配置される場合があるため、空気流入口は、空気流入口が使用時に例えばベッドシーツ等により塞がれないようにするべく構成される。
【００５６】
例えば、図２３−１〜図２３−７は、空気流入口２７とその内部に支持されたエアフィルタ７０とが、ＦＧハウジング２２０の空気流出口２９と同じ側に設けられたフロージェネレータ２１０を示す。この例において、ＦＧハウジング２２０は、ブロワ３０とサスペンション装置４０とを支持するために協働する、上側ハウジング部品および下側ハウジング部品２２４、２２６を含む。また、ブロワ３０およびサスペンション装置４０が、ＦＧハウジング２２０の一方側に沿って位置され、また、ＰＣＢ５０が、ＦＧハウジング２２０の他方側に沿って位置される。
【００５７】
図２５−１〜図２５−１１は、本技術の他の例に係るフロージェネレータ３１０を示す。この例において、ブロワ３３０は、ブロワ入口３３２がハウジングの流入口３２７から離れる方向に向けられるように所定の角度を成してハウジング３２０内に支持される。例えば、図２５−３および図２５−４に最も良く示されるように、ブロワの中心軸Ａは、フロージェネレータの垂直軸Ｖに対して約５〜２０°（例えば、５°、１０°、１５°、２０°）の角度αだけ傾けられてもよい。
【００５８】
ブロワ入口３３２およびＦＧハウジング３２０により設けられた曲がりくねった空気流入経路の方向は、ノイズが空気流入口３２７から逆行することを、より困難にする。また、ブロワ出口３３４は、ブロワ出口３３４から空気流出口３２９へと向かうさらに直接的な経路を規定するために、ＦＧハウジング３２０の空気流出口３２９へ向けて傾けられる。これについては、例えば図２５−３を参照されたい。
【００５９】
図示のように、空気流入口３２７および空気流出口３２９は、ＦＧハウジング３２０の同じ側に設けられており、この配置は、空気供給チューブが空気流出口３２９に取り付けられるときに空気流入口３２７が塞がれることを防止するのに役立ち得る。入口空気流ベーン３６８が、空気流入口３２７付近に設けられ、この入口空気流ベーン３６８は、入口チャンバ３３３の容積を調整するべく移動できてもよい。また、図２５−１１に示されるように、例えば音を吸収するために、音響発泡体３３５が、入口流路に沿って入口チャンバ３３３内に設けられてもよい。
【００６０】
一例では、図２５−６に示されるように、フロージェネレータ３１０は、約１３０〜１６０ｍｍ（例えば１４４ｍｍ）の長さＬ、約９０〜１１０ｍｍ（例えば１００ｍｍ）の幅Ｗ、および約４０〜６０ｍｍ（例えば５０ｍｍ）の高さＨを有してもよい。しかしながら、他の適した寸法が想定し得ることは言うまでもない。
【００６１】
図７２は、ＦＧハウジング４４２０内で角度を成して支持されたブロワ４４３０を含むフロージェネレータ４４１０の他の例を示す。サスペンション装置４４４０（例えば、ハウジング部品のうちの一方にオーバーモールドされる）が、ブロワチャンバ４４２５内でブロワ４４３０を支持してもよい。入口ベーンを含む入口キャップ４４６８が、ブロワ４４３０の入口側に設けられてもよい。また、例えば流れを方向付けて音響および衝撃の吸収を行なうために、音響発泡体４４３５の１つまたは２つ以上の片（pieces）（例えば、楔状発泡体片（wedge-like foam pieces））が、ブロワの入口側および出口側に設けられてもよい。
【００６２】
図２６−１〜図２６−３は、本技術の他の例に係るフロージェネレータ４１０を示す。この例では、フロージェネレータ４１０が、ＦＧハウジング４２０を含み、このＦＧハウジング４２０は、空気流出口４２９と、異なる位置にある２つの空気流入口、すなわちハウジングの空気流出口４２９と同じ側に設けられた第１流入口４２７−１、および空気流出口４２９とは反対のハウジングの側に設けられた第２流入口４２７−２と、を含む。使用時、一方の流入口だけが作用するように流入口４２７−１、４２７−２のうちの一方が（例えばキャップにより）塞がれ、これは、流入口位置を選択できる能力を患者に与える。空気流を方向付けるために、それぞれの流入口４２７−１、４２７−２付近に、空気流ベーン４６８−１、４６８−２が設けられてもよい。ブロワ４３０をハウジング４２０内で支持して吸音および懸架を行なうために、音響発泡体の１つまたは２つ以上の片が設けられてもよい。例えば、図２６−２および図２６−３に示されるように、環状または湾曲状の発泡体片４３５−１が、ハウジング内でブロワの底面を支持してもよく、また、発泡体ブロック４３５−２（例えば、３、４、５個またはそれ以上の発泡体ブロック）が、ハウジング内でブロワの側面を支持してもよい。２つの空気流入口４２７−１、４２７−２のそれぞれは、本明細書中でさらに詳しく説明されるように、それぞれのエアフィルタカートリッジ（図示省略）を支持するように構成されてもよい。
【００６３】
図２７−１〜図２７−３は、本技術の他の例に係る（例えば、バッテリー給電される）フロージェネレータ５１０を示す。この例では、例えば、ハウジング内に支持されたフィルタへのアクセスを防止するため、ユーザの指がハウジング内に突っ込まれるのを防止するため、および／または、大きな粒子が流入口を通してハウジング内に吸い込まれることを防止するために、ハウジング５２０の流入口５２７に、格子５７３が設けられる。ブロワ５３０に対するノイズバリアを与えて、および／またはブロワ５３０からのノイズを反射して、流入口５２７を通して逆放出されるノイズを防止する／減少させるために、薄いＳ形状の音バッフル壁５６８が、流入口５２７付近でハウジング内に設けられる。また、音バッフル壁５６８は、音波がバッフル壁から反射あるいは跳ね返されるように、流入空気流を方向付ける。湾曲したブロワバッフル壁５６９もハウジングに設けられ、このブロワバッフル壁５６９は、空気をブロワ入口へと案内するようにブロワ５３０を取り囲むように構成されている。ハウジングと共にブロワ５３０を支持して吸音および懸架を行なうために、発泡体（例えば、シリコーンオープンセル発泡体）の１つまたは２つ以上の片が、設けられてもよく、例えば、ブロワの底面を支持するために、一片の発泡体ブロック５３５−２が設けられ、また、ブロワの上端を支持して空気をブロワ入口へと案内するために、湾曲状の発泡体片５３５−１が設けられてもよい。ＰＣＢ５５０は、三角形態を含み、ブロワと隣り合ってハウジング内に支持される。
【００６４】
別の例では、図１０３−１〜図１０３−５に示されるように、ＦＧハウジング７０２０は、空気流出口７０２９と、２つの空気流入口、すなわち空気流出口７０２９とは反対側のハウジングのそれぞれの角部に沿って延在する第１流入口７０２７−１および第２流入口７０２７−２と、を含む。第１および第２流入口７０２７−１、７０２７−２のそれぞれは、対応する第１および第２エアフィルタ７０７０−１、７０７０−２を受けるあるいは支持する。
【００６５】
二重入口配置は、２つの空気流入口を与え、これらの空気流入口のそれぞれは、単一入口配置の単一の流入口よりも、例えば図５および図６における空気流入口と比べて、小さい（例えば、長さが小さい）。この小さい空気流入口は、ブロワからノイズを放射するための、より小さい放射源をもたらす。
【００６６】
また、２つの空気流入口は、ハウジングの両角に沿って位置され、これは、ブロワから放射されるノイズ、すなわちハウジングの中央壁部分に沿う１つの大きい空気流入口から直接放射されるのではなく、ハウジングの角部に沿う小さい空気流入口から放射されるノイズを抑制するための構成を与える。一例において、２つの空気流入口から放射される音響ノイズは、低周波数および中周波数（例えば、約１００〜３００Ｈｚおよび７００〜１７００Ｈｚ）では、同じ総面積の単一の流入口と比べて小さい。
【００６７】
また、二重入口配置は、ハウジングの両角に２つの空気流入口を与え、これによりベッド内にあるときに空気流入口が塞がれる機会が減少される。例えば、空気流入口のうちの一方は、空気流入口のうちの他方が（例えば寝具類により）塞がれる場合であっても、作用し得る。
【００６８】
別の例において、２つの空気流入口は、両角ではなく、ハウジングの反対側に沿って位置されてもよい。一例において、２つの空気流入口は、他方の空気流入口から少なくとも５〜１０ｃｍ離間され、例えば少なくとも５ｃｍ離間され、少なくとも８ｃｍ離間されてもよい。
【００６９】
別の例において、ハウジングは、空気流入口がハウジングの２つの隣り合う側面に沿って延在するように、ハウジングの１つの角部に沿って、単一の長尺状空気流入口を備えてもよい。そのような配置は、ベッド内にあるときに、空気流入口が塞がれる機会を減少し得る。例えば、ハウジングの一方の側面に沿う空気流入口の一部は、ハウジングの隣り合う側面上の空気流入口の残りの部分が塞がれる場合であっても、作用し得る。
【００７０】
図示の例において、第１エアフィルタ７０７０−１および第２エアフィルタ７０７０−２のそれぞれは、例えばフィルタの洗浄および／または交換を可能にするために、ＦＧハウジング７０２０のそれぞれの第１流入口７０２７−１および第２流入口７０２７−２内に取り外し可能に装着されるように構成された、エアフィルタカートリッジの形態を成す。図１０３−４および図１０３−５に最も良く示されるように、第１エアフィルタカートリッジ７０７０−１および第２エアフィルタカートリッジ７０７０−２のそれぞれは、ブロワによりＦＧハウジング７０２０内に引き込まれる空気を濾過するためのフィルタを支持する、カートリッジ本体７０７２を含む。
【００７１】
図示のように、カートリッジ本体７０７２は、エアフィルタカートリッジ７０７０−１、７０７０−２内への入口開口７０７３−１を画定する、水平に延在する壁を含むグリル状の前部または格子７０７３と、弓形状のフィルタ空気方向付け壁７０７５を伴う後部と、それぞれがＦＧハウジング７０２０の入口開口内にカートリッジ本体を保持するための構造を含む端壁７０７６−１、７０７６−２と、を含む。弓形状のフィルタ空気方向付け壁７０７５は、空気流を方向付けるために、複数のフィルタ空気方向付けベーン７０８１（例えば、図示の２つのベーンであるが、１つのベーンなど、２つを下回るベーン、または、３、４、５個またはそれ以上など、２つを上回るベーンが想定し得る）とともに、略凹面７０７５−１を含む。典型的なフィルタ媒体６５７４を伴う構成の更なる詳細については、図１０２−１〜図１０２−９に示されるエアフィルタ６５７０に関連して、以下でさらに詳しく説明する。
【００７２】
図示の例において、カートリッジ本体７０７２の各端壁７０７６−１、７０７６−２は、例えばスナップ嵌合により、入口開口のそれぞれの側に沿ってインターロックするようにまたは係合するように構成された、長尺状カートリッジリブ７０７９を含む。しかしながら、言うまでもなく、エアフィルタカートリッジは、他の適した態様で、例えば図１０２−１〜図１０２−９に示される装着構成で、入口開口内に装着されてもよい。
側壁リブ
【００７３】
図示の例において、図１３〜図２２を参照すると、側壁６３は、側壁および／または端壁またはその一部の周囲にわたって延在する、すなわち空気流入口２７と空気流出口２９との間の側壁部分に沿って延在する、１つまたは２つ以上の壁リブ６３−１を含む。壁リブ６３−１は、空気流入口を通した空気吸い込み中に、乱流／高周波ノイズを減少させるのに役立ち得る。また、壁リブ６３−１は、美観的な理由のため（例えば、「折り畳み」層をいう）、およびＦＧハウジング２０内への空気流入口２７にあるエアフィルタ７０を隠すあるいは調和させるために設けられてもよい。空気流入口２７を壁リブ６３−１内に位置付けると、フロージェネレータ１０がベッド内に位置されるときに、空気流入口が塞がれるリスクが減少する。これは、フロージェネレータ１０が、ベッド内にあるときに、さらに広い第１カバー２４または第２カバー２６のうちの一方の表面上に位置される可能性が高いからである。特に、空気流入口は、ＦＧハウジング２０の端面のうちの一方に位置されてもよい。
ブロワチャンバ
【００７４】
図９〜図２２に見られるように、第１ブロワチャンバ壁６５が、主筐体壁６２に設けられ、この第１ブロワチャンバ壁６５は、ブロワを受けるように構成されたブロワチャンバ２５の一部を画定する。第１ブロワチャンバ壁６５は、一般に、ブロワを保持するために、環状の形状を有するが、その形状は、他の形状のブロワを受け入れるように変化してもよい。空気がブロワ出口３４からＦＧハウジング２０の空気流出口２９へと流れることができるようにするために、１つまたは２つ以上のアパーチャ６５−１（例えば、２個、３個、または、それ以上の開口）が、第１ブロワチャンバ壁６５に設けられる。空気を、空気流出口２９へと方向付けるあるいは案内するために、上端分割壁６６が、アパーチャ６５−１のそれぞれの側に設けられる（例えば、図１４および図２２参照）。
空気流ベーン
【００７５】
空気を、ブロワ入口３２へと方向付けるあるいは案内するために、１つまたは２つ以上の入口空気流ベーン６８が、空気流入口２７付近に設けられる。図示の例では、一対の空気流ベーンが設けられ、各ベーンは、ほぼ湾曲した外形または輪郭を成す外形を含む。しかしながら、他の適した数の空気流ベーン（例えば、１、３、４個またはそれ以上の空気流ベーン）が、設けられてもよく、また、空気流ベーンが、流れを方向付けるのに適した他の形状または外形を含んでもよいことは言うまでもない。使用時、空気流ベーンは、流入空気を事前に旋回させてもよく、また、空気流入口２７からの放射ノイズを減少させるのに役立ってもよい。
ワイヤガイド
【００７６】
筐体は、ＰＣＢ５０から直接ハウジングの外側へと延在する給電コード接続のための給電リード線６０を経路付ける、案内する、あるいは支持するために、支持構造体またはワイヤガイド６７も含む（例えば、図４、６、７、１０、１３、１４、２２参照）。このような構成は、例えばフロージェネレータ１０がベッド内で使用されてユーザが就寝中にフロージェネレータ１０にのしかかる場合に、ユーザがコードを痛めつけるのを防止するのに役立つ。
【００７７】
給電リード線または給電ケーブル６０は、他の適した態様でＰＣＢ５０からＦＧハウジング２０の外側へと経路付けられてもよい。例えば、図９６〜図１００は、例えばトップカバーとボトムカバーとの間の中心線上で（図９６）、トップカバーの方へオフセットして（図９７〜図１００）、給電リード線６０を経路付けるための別の構成を示す。
ＰＣＢ支持
【００７８】
主筐体壁６２の外部側６２−２は、筐体内部の外側および空気流路の外側でＰＣＢ５０を支持するように構成される。図３、４、６、７、１０、１３に最も良く示されるように、複数のペグ（例えば、３個、４個、または、それ以上のペグ）が筐体壁に設けられ、これらのペグは、ＰＣＢ５０に設けられたそれぞれの開口内に係合して、ＰＣＢを筐体壁に支持して位置合わせするように構成されている。一例において、ペグは、筐体壁上のＰＣＢの１つの可能な装着位置のみを許容するように、配置されてもよい。
【００７９】
また、図４、７、１３、１７に示されるように、筐体内部の内側のブロワ３０からのマグネットワイヤ５９を、リード線を使用せずにＰＣＢ５０に直接接続できるようにするために、開口６２−３が、主筐体壁６２を貫通して設けられる。この構成は、コストを低減できるとともに、ブロワ３０とＰＣＢ５０との間の短い距離により、容易化される。
【００８０】
ＰＣＢ５０は、別の形状を含んでもよく、また、ＦＧハウジング２０および／またはブロワ３０に対する他の適した位置で、ＦＧハウジング２０に設けられてもよい。例えば、図８８は、ＦＧハウジング２０およびブロワ３０の後部に沿って水平に支持されるＰＣＢ５０を示し、また、図８９は、ＦＧハウジング２０およびブロワ３０の側部および前部に沿って水平に支持されるＬ形状ＰＣＢ５０を示し、図９０は、ＰＣＢ５０が水平に対して所定の角度で支持される図８９に類似する配置を示し、また、図９１は、ブロワ３０よりも上側またはブロワ３０上にわたって水平に支持されるＰＣＢ５０を示す。ＰＣＢ５０の形状および／または位置は、例えば、空気流入領域、ディスプレイの位置、ディスプレイの美観、ノイズ減衰のための空間、マイクロホン／ボタン位置、ハウジング厚さ、ケーブル出口、および／または放熱を考慮して、選択されてもよい。
【００８１】
一例において、図８８のフロージェネレータ１０は、約１２０〜１４０ｍｍ（例えば１２９ｍｍ）の長さ、約８０〜１００ｍｍ（例えば９１ｍｍ）の幅、および約３０〜５０ｍｍ（例えば４３ｍｍ）の高さを有してもよい。一例において、図８９のフロージェネレータ１０は、約１３０〜１５０ｍｍ（例えば１４０ｍｍ）の長さ、約９０〜１１０ｍｍ（例えば１０２ｍｍ）の幅、および約３０〜５０ｍｍ（例えば４３ｍｍ）の高さを有してもよい。一例において、図９０のフロージェネレータ１０は、約１２０〜１４０ｍｍ（例えば１２９ｍｍ）の長さ、約８０〜１００ｍｍ（例えば９３ｍｍ）の幅、および約４０〜６０ｍｍ（例えば４８ｍｍ）の高さを有してもよい。一例において、図９１のフロージェネレータ１０は、約１３０〜１５０ｍｍ（例えば１３９ｍｍ）の長さ、約９０〜１１０ｍｍ（例えば１０２ｍｍ）の幅、および約４０〜６０ｍｍ（例えば５０ｍｍ）の高さを有してもよい。しかしながら、他の適した寸法が想定し得ることは言うまでもない。
２．１．２トップカバー
【００８２】
トップカバー２４は、ＦＧハウジング２０内にＰＣＢ５０を収容するために、筐体２２に固定される。トップカバー２４を筐体２２に固定するために筐体２２に設けられたそれぞれの締結具レセプタクル６９−２（例えば、図１０および図１３参照）と係合する締結具を受けるべく１つまたは２つ以上の締結具開口２４−１（例えば図１参照）が、トップカバーに設けられる。しかしながら、トップカバー２４が、他の適した態様で、筐体２２に固定されてもよい。
【００８３】
図３３に示される別の例において、トップカバー２４は、トップカバー２４に設けられてＰＣＢ５０へのアクセスを許容するために開放されてもよいＰＣＢフードまたは取り外し可能部分２８を含んでもよい。図３３は、ブロワ３０からＰＣＢ５０へと通るブロワリード線３８も示す。
インタフェースボタン
【００８４】
トップカバー２４には、インタフェースボタン８０が設けられ、このインタフェースボタン８０は、ＰＣＢ５０に設けられたディスプレイ５２（例えば、数値表示器）と位置合わせするように構成されている。ボタン８０は、半透明であってもよく、透明であってもよく、あるいはボタン８０を通してディスプレイ５２を見ることができるように構成されてもよい。好ましくは、インタフェースボタン８０は、装置が使用のためにベッド内に位置された場合に、ボタン８０の不用意な押圧の機会を減らすために、例えば、ユーザが装置を使用時にベッド内で転がす場合にボタン８０が押圧されるのを防止するために、トップカバー２４に埋め込まれ、あるいはボタンリム（例えば、図１０１−１および図１０１−３におけるボタンリム６５８０−１参照）により取り囲まれる。また、インタフェースボタン８０は、使用中の装置の偶発的な作動停止および／または作動を防止するべくユーザが装置を意図的に作動停止および／または作動させなければならないようにするために、「ダブルクリック」作動停止機能および／または作動機能を必要としてもよい。「ダブルクリック」は、例えば１秒、２秒、または３秒未満の限られた期間内で必要とされてもよい。
【００８５】
図２０に最も良く示されるように、ボタン８０は、ボタンがＰＣＢ５０に設けられたスイッチ５４を作動できるようにするために、トップカバー２４のトップカバー壁２４−ｗに対して移動可能に装着される。ボタンとトップカバー壁２４−ｗとの間には、隙間８１が設けられ、また、リビングヒンジ８２がボタン８０とトップカバー壁２４−ｗとを相互接続し、そのため、この構成は、ボタン８０が、トップカバー壁２４−ｗに対して曲がることができるようにする。強固なストッパをもたらして使用時のボタン８０の移動範囲を制限するために、ストッパ構造体２４−２が、トップカバー壁２４−ｗに設けられる。使用時、ボタン８０は、ボタン８０の真下に設けられたスイッチ５４を作動させるために、押し下げられてもよい。スイッチ５４を受けてボタン８０と位置合わせするために、ボタン８０の下面に、溝８３が設けられてもよい。
【００８６】
しかしながら、インタフェースボタン８０は、他の適した構成で、トップカバー２４に移動可能に装着あるいは設けられてもよいことは言うまでもない。例えば、図４８−１および図４８−２は、リビングヒンジ２５８２により、トップカバー２５２４に移動可能に装着されるボタン２５８０の他の例を示す。この例では、リビングヒンジ２５８２と反対側のボタンの自由端付近のトップカバー２５２４の開口が、テーパ面２５９５（例えば、Φ＞９０°）を含む。テーパ面２５９５は、ボタン２５８０の移動を可能にするが、更なる撓みを防止するためのストッパも、もたらす。すなわち、テーパ面は、ボタン２５８０の自由端が更なる撓みを防止するために、テーパ面２５９５と接触するポイントである特定の距離に至るまで、ボタン２５８０の移動を許容する。
【００８７】
図４９は、ＰＣＢ２６５０の中心に設けられたディスプレイ２６５２を受け入れるために、トップカバー２６２４が、ＰＣＢ２６５０から十分に離間される例を示す。図示のように、トップカバー２６２４は、ディスプレイがトップカバーを通して光ることができるようにするため、薄肉化された断面を含んでもよい。
【００８８】
図５０は、ＰＣＢ２７５０が、ＬＥＤアレイ２７５３の形態を成すディスプレイ２７５２を含む一例を示す。図示の例において、ＬＥＤアレイ２７５３は、ＬＥＤアレイ２７５３がトップカバー２７２４上のボタン２７８０を通して光ることができるようにするために、ＰＣＢが、開口を含むＰＣＢの後部に装着されてもよい。
【００８９】
図５１は、リビングヒンジ２８８２によりトップカバー２８２４に移動可能に装着されるボタン２８８０の他の例を示す。この例において、ヒンジと反対側のボタンの自由端付近のカバーの開口は、ボタンの更なる撓みを防止するために、ストップ構造体２８２４−２を含む。一例において、ストップ構造体は、約０．２〜０．３ｍｍ、例えば０．２５ｍｍのボタンの移動を許容するように、位置されてもよい。
【００９０】
図５２−１および図５２−２は、トップカバー２９２４の開口内に設けられたボタン２９８０の他の例を示す。図５２−１において、ボタンは、トップカバーの開口から延在するカバー突起２９２４−Ｐを受けるように構成されたボタン凹部２９８０−１を、その外周に含む。別の例では、図５２−２に示されるように、ボタン２９８０は、トップカバーの開口に設けられたカバー凹部２９２４−Ｒ内に係合するように構成されたボタン突起２９８０−２を、その外周に沿って含む。ボタンおよびトップカバー開口に設けられたボタン凹部２９８０−１およびカバー凹部２９２４−Ｒはそれぞれ、所定範囲の移動をボタン２９８０に与えるために、十分に幅広い。
【００９１】
図８４〜図８６は、ＰＣＢ５５５０により設けられた機能部５５５６、例えばマイクロスイッチ５５５６（図８４）、抵抗フィルム５６５６（図８５）、または容量センサ５７５６（図８６）を作動させるための、別の例を示す。
２．１．３  ボトムカバー
【００９２】
筐体内部６２−１を取り囲んで筐体内部６２−１の内側にブロワ３０を支持して保持するために、ボトムカバー２６が、筐体２２に固定される。ボトムカバー２６を筐体２２に固定するべく筐体内部の内側に設けられたそれぞれの締結具レセプタクル６９−１（例えば、図９および図１４参照）と係合する締結具を受けるために、１つまたは２つ以上の締結具開口２６−１（例えば、図８および図１２参照）が、ボトムカバー２６に設けられる。しかしながら、ボトムカバー２６が、他の適した態様で筐体に固定されてもよい。
【００９３】
ボトムカバー２６は、ブロワ３０を受けるように構成されるブロワチャンバ２５の一部を画定する第２ブロワチャンバ壁８５を含む。第２ブロワチャンバ壁８５は、一般に、ブロワ３０を保持するために、環形状を有するが、その形状は、他の形状のブロワを受け入れるために、異なってもよい。筐体２２およびボトムカバー２６の第１および第２ブロワチャンバ壁６５、８５は、ブロワチャンバ２５を画定するために協働して位置合わせする。空気が、ＦＧハウジング２０の空気流入口２７からブロワ入口３２へと流れることができるようにするために、ボトムカバー２６の第２ブロワチャンバ壁８５は、１つまたは２つ以上の開口８５−１を含む。
【００９４】
ボトムカバー２６は、空気を空気流出口２９へと方向付けるあるいは案内するために、筐体２２の上端分割壁６６と協働して位置合わせする下端分割壁８６（例えば、図１２参照）を含む。また、ボトムカバー２６は、ブロワチャンバ壁８５の開口８５−１を通して空気をブロワ入口３２へと方向付けるあるいは案内するために、筐体２２の入口空気流ベーン６８と協働して位置合わせする、１つまたは２つ以上の下端空気流ベーン８８を含む。
２．２  サスペンション装置
【００９５】
サスペンション装置４０（例えば、シリコーンなどのエラストマー材料から構成される）は、筐体２２とボトムカバー２６との間で、ブロワチャンバ２５内に支持あるいは捕捉される（図９、１１、１５〜２２参照）。サスペンション装置４０は、ブロワ３０をＦＧハウジング２０と接触させないように保つとともに、使用時にＦＧハウジング２０に対するブロワ３０の移動を許容し、例えば、振動を分離するために、スプリングのように作用する。ブロワ３０はサスペンション装置４０内に入れ子にされ、サスペンション装置４０は、フロージェネレータ１０の任意の方向の動作を許容するべくブロワ３０を保持して支持する。好ましくは、サスペンション装置４０は、フロージェネレータ１０が任意の方向に動作できるようにするのに役立つべく略対称な形状を有する。また、サスペンション装置４０は、ブロワ３０の低圧側と高圧側との間の圧力シールとして作用する。
【００９６】
図示のように、サスペンション装置４０は、ブロワ３０の形状にほぼ適合する全体外形状、すなわち略円筒形状またはディスク形状を含む。しかしながら、サスペンション装置は、ブロワ３０の形状に対応しなくてもよい他の適した形状を含んでもよい。例えば、サスペンション装置は、ハウジングまたは筐体内部の形状に対応する形状を含む。サスペンション装置４０は、ブロワ入口３２またはブロワ出口３４を塞ぐことなく、ブロワを実質的に収容するようにあるいは封入するように、ブロワ３０を取り囲む。サスペンション装置４０は、ブロワ入口３２、ブロワ出口３４、およびブロワの隣接する壁の周囲に、隙間、例えば約１ｍｍ〜約２０ｍｍ、例えば約５ｍｍ、約１０ｍｍ、または約１５ｍｍの隙間を含んでもよい。しかしながら、他のサイズの隙間が使用されてもよいことは、言うまでもない。
【００９７】
図１８に示されるように、サスペンション装置４０は、ブロワをその間で支持する対向するサスペンション壁４２、４４と、サスペンション壁４２、４４から延在する環状支持部材４６と、を含む。支持部材４６は、ブロワチャンバ２５を画定する筐体２２の第１ブロワチャンバ壁６５とボトムカバー２６の第２ブロワチャンバ壁８５との間に挟まれる、あるいは支持される支持端部４６−１を有する。支持部材４６は、支持端部４６−１とサスペンション壁４２、４４との間に、略Ｓ形状またはベローズ状の支持部４６−２も含み、この支持部４６−２は、ブロワ３０をＦＧハウジング２０内に弾性的に支持するとともに、ＦＧハウジング２０の側面並びにハウジングの上端および下端に加えられた衝撃を吸収する、例えば、軸方向および径方向の両方に加えられた衝撃を吸収するように構成される。ブロワ３０のブロワ入口３２およびブロワ出口３４を受け入れるために、サスペンションアパーチャ４２−１、４４−１が、それぞれのサスペンション壁４２、４４に設けられる。
【００９８】
また、各サスペンション壁４２、４４は、筐体内部６２−１の上壁および下壁へ向けて延在するとともに、ＦＧハウジング２０の上端および下端に加えられた衝撃を吸収する、例えば軸方向に加えられた衝撃を吸収するための衝撃吸収体として作用するように構成された複数の可撓性の脚、ペグ、またはコーン４８（例えば、３、４、５個、または、それ以上のコーン）を含む。一例において、ペグまたはコーン４８は、隣り合う壁と常時接触していなくてもよく、すなわち、衝撃中においてのみ接触すればよい。ペグまたはコーン４８は、剛性を減らすために、比較的鋭利であってもよく、あるいは尖っていてもよい。ペグまたはコーン４８は、同軸的に配置されるが、他のコーン配置も想定し得る。
【００９９】
一例においては、対向するサスペンション壁４２、４４間でのサスペンション装置４０内へのブロワ３０のインターロックを容易にするために、１つまたは２つ以上のサスペンションスリット４９（例えば、３つのスリット）が、壁のうちの少なくとも１つに設けられてもよい（例えば、図９参照）。各サスペンションスリット４９は、サスペンション壁４２、４４の開口から径方向に延びてもよいが、他の適したサスペンションスリット配置が、想定し得る。
【０１００】
支持装置４０（ディバイダーシールとも称される）は、ＦＧハウジング２０内でブロワ３０を懸架する／支持するとともに、例えば流れをハウジングの出口へと方向付ける接続チューブの必要性を避けるために、ブロワの入口側３２をブロワの出口側３４から分けるあるいはシールする（すなわち、低圧側と高圧側とを分けるあるいは分離する）。
【０１０１】
支持装置４０は、ブロワのブロワ入口３２およびブロワ出口３４に隣接する、入口シールおよび出口シールの必要性を回避する構成を与える。また、支持装置は、ブロワ３０とＦＧハウジング２０との間を分離する（例えば防振）、および／またはブロワ３０とＦＧハウジング２０との間でサスペンションとして作用する、エラストマー材料から構成される。ブロワ３０の上端、下端、および側面に設けられた環状支持部材４６および複数のペグまたはコーン４８は、ＦＧハウジング２０およびブロワ３０が任意の方向に向けられてもよいように、例えばＦＧハウジング２０が垂直ではなく、横倒しに位置されてもよいように、ＦＧハウジング２０内でブロワ３０を支持する。
【０１０２】
１つの例において、サスペンション装置４０（例えば、シリコーンから構成される）は、構造的完全性を維持するのに十分剛性が高いとともに、低い共振周波数をもたらして防振するように十分に柔軟であって、衝撃耐性がある（例えば、サスペンション装置内のブロワにおける共振周波数は約２０〜８０Ｈｚ、例えば２５〜４０Ｈｚであってもよい）。
【０１０３】
別の例において、サスペンション装置４０は、例えばＦＧハウジング２０により与えられる流路に加えておよび／または代えて、ＦＧハウジング２０を通して空気を方向付けるための１つまたは２つ以上の流路を与えてもよい。サスペンション装置４０により与えられる、そのようなシリコーン流路は、防振および防音をもたらしてもよい。
ハウジングシールおよび外部グリップ
【０１０４】
１つの例では、図２４−１に示されるように、サスペンション装置４０は、外部装飾的細部をＦＧハウジング２０に与えるとともに装置を保持する際にグリップをＦＧハウジング２０に与えるために、例えば滑りを防止するために、ＦＧハウジング２０の側壁に沿ってＦＧハウジング２０の外側で延在するように構成された部分を含んでもよい。
【０１０５】
図示の例において、サスペンション装置２４０（例えば、透明であってもよい、あるいは着色されてもよい、シリコーンから形成される）は、ブロワ３０を支持する対向するサスペンション壁２４２、２４４と、衝撃を吸収するためのＳ形状またはベローズ状サスペンション部分２４６−２と、サスペンション支持部材２４５と、サスペンション外装部２４７と、を含む。
【０１０６】
サスペンション支持部材２４５は、上端および下端ハウジング部品２２４、２２６（例えば、プラスチックから構成される）間に挟まれるとともに、ハウジング部品２２４、２２６の対応するハウジング凹部２２４−Ｒ、２２６−Ｒ内に係合するように構成されたサスペンションビード細部、または両側のサスペンションビード２４５−１を含む。別の例では、図２４−２に示されるように、サスペンション支持部材２４５は、ハウジング部品２２４、２２６に設けられたそれぞれのビードまたはビード細部２２４−Ｂ、２２６−Ｂと係合するように構成された両側のサスペンション凹部２４５−２を含んでもよい。ビード細部は、空気がハウジングから漏れ出るのを防止するために、ハウジング部品間にシールを形成する。しかしながら、ハウジング部品間にシールを形成するために、他の適した構造がサスペンション支持部材に設けられてもよいことは言うまでもない。また、サスペンション装置は、前述したようにブロワの低圧側と高圧側との間にシールを形成する。
【０１０７】
ＦＧハウジング２２０の側壁に沿うシリコーンサスペンション外装部２４７は、１つまたは２つ以上の壁リブ２６３−１を含む。前述したように、ハウジング側壁に沿うそのような壁リブは、美観をもたらしてもよく、また、ハウジングへの入口開口でエアフィルタを隠すあるいは調和させるために設けられてもよい。また、そのシリコーン壁リブ２６３−１を伴う、そのようなシリコーンサスペンション外装部２４７は、装置を取り扱う際に、ＦＧハウジング２２０に対してグリップをもたらす。
２．３  エアフィルタ
【０１０８】
図示の例において、エアフィルタ７０は、例えばフィルタの洗浄および／または交換を可能にするために、ＦＧハウジング２０の空気流入口２７内に取り外し可能に装着されるように構成されたエアフィルタカートリッジの形態を成してもよい。エアフィルタカートリッジ７０は、ブロワ３０によりＦＧハウジング２０内へ引き込まれる空気を濾過するためのフィルタ媒体７４を支持する、カートリッジ本体７２を含む。
【０１０９】
図９および図２２に最も良く示されるように、カートリッジ本体７２の一端は、空気流入口２７を取り囲む側壁とスナップ嵌合により係合するように構成された弾性クリップ部７６を含む。使用時、クリップ部７６とは反対側のエアフィルタカートリッジ７０の端部は、空気流入口２７内にインターロックまたは係合された後、クリップ部７６が弾性的に撓んでＦＧハウジング２０と係合するとともに、クリップ部７６に設けられたロック部または肩部が空気流入口２７に隣接するハウジング側壁に対するロック位置に達するまで、空気流入口２７内へと回動される。
【０１１０】
エアフィルタ７０は、他の適した態様でＦＧハウジング２０の空気流入口２７に隣接してフロージェネレータ１０に装着あるいは設けられてもよい。例えば、図９２−１、９２−２は、空気流入口５８２７付近でエアフィルタ５８７０を解放可能に支持するスロットを露出させるためにスライド可能に取り外しできるトップカバー５８２４を伴うＦＧハウジング５８２０を示す。エアフィルタ７０が、完全に隠されるため、エアフィルタが、比較的安価な材料から形成されてもよい。
【０１１１】
図９３−１および図９３−２は、フィルタ媒体５９７４と、ＦＧハウジング５９２０内にフィルタ媒体を収容するための回動ドア構造体を有するカートリッジ本体５９７２とを含むエアフィルタ５９７０構成を示す。フィルタ媒体５９７４は、ドア構造体を貫通して突出するフィルタプルタブ５９７４−１を含み、これにより、ユーザは、フィルタ媒体５９７４の取り外し／交換／洗浄のために、フィルタプルタブ５９７４−１を引っ張ってドア構造体を回動して開放することができる。フィルタプルタブ５９７４−１は、例えば露出の長さに基づいて色を変える空気活性なプルタブなど、フィルタが洗浄／交換されるべきことを知らせるために色を変えるように構成されてもよい。
【０１１２】
図９４−１および図９４−２は、ハウジング６０２０の側面に設けられたスロット内に解放可能に支持されるフィルタ媒体６０７４を含むエアフィルタ６０７０の構成を示す。フィルタ媒体は、洗浄／交換を決定するために、フィルタ媒体に容易にアクセスでき、且つフィルタ媒体を容易に見ることができるように、ＦＧハウジングの外表面の一部を形成する。例えば、フィルタ媒体は、色を変えるように構成されてもよく、あるいは見た目が汚くてもよい。
【０１１３】
図９５は、フィルタ媒体６１７４（例えば、ＴＰＥなどのエラストマー材料から構成される）を含むエアフィルタ６１７０の構成を示す。フィルタ媒体は、ＦＧハウジング６１２０の空気流出口６１２９に付くように構成されたフィルタ媒体リング部６１７４−３と、ＦＧハウジング６１２０の空気流入口６１２７を包んで覆うように構成されたフィルタ構造を与えるフィルタ媒体本体部６１７４−２と、を含む。フィルタ媒体は、洗浄／交換を決定するために、フィルタ媒体に容易にアクセスでき、且つフィルタ媒体を容易に見ることができるように、ＦＧハウジング６１２０の外表面の一部を形成する。例えば、フィルタ媒体は見た目が汚くてもよい。
【０１１４】
図１０２−１〜図１０２−９は、本技術の他の例に係るエアフィルタカートリッジ６５７０を示す。図１０１−１〜図１０１−１１は、使用時にフロージェネレータハウジング６５２０の入口開口内に位置される、エアフィルタカートリッジ６５７０を示す。
【０１１５】
エアフィルタカートリッジ６５７０は、エアフィルタ６５７４を支持するカートリッジ本体６５７２を含む。図示のように、カートリッジ本体６５７２は、グリル状構造または格子を伴うカートリッジ前部６５７３と、弓形状のカートリッジ空気方向付け壁６５７５−１を伴うカートリッジ後部６５７５と、フロージェネレータハウジング６５２０の空気流入口６５２７内にカートリッジ本体６５７２を保持するための構造をそれぞれが含むカートリッジ端壁６５７５−２、６５７５−３と、を含む。
【０１１６】
グリル状前部または格子前部６５７３は、エアフィルタカートリッジ６５７０内への入口開口６５７３−１を画定する水平および垂直に延在する壁を含む。このような構成は、エアフィルタカートリッジ６５７０内に支持されるフィルタ媒体６５７４へのアクセスを防止し、ユーザの指がＦＧハウジング６５２０内へ突っ込まれることを防止し、および／または大きな粒子が入口開口６５７３−１を通してＦＧハウジング６５２０内へ吸い込まれることを防止する。
【０１１７】
弓形状のカートリッジ空気方向付け壁６５７５−１は、空気流を方向付けるための略凹状面６５７５−４を規定する（図１０２−７参照）。また、複数のカートリッジ空気方向付けベーン６５７７が、壁に沿って設けられる。例えば４つのベーンが図示されるが、４つ未満のベーン、または４つを上回るベーンが、想定し得る。図１０１−１０、１０１−１１、１０２−８、１０２−９に示されるように、エアフィルタカートリッジ６５７０は、ブロワ６５３０内の乱流を減少させるためにマニホールドとして作用する複数のカートリッジ空気方向付けベーン６５７７を通して、空気流をブロワチャンバ入口から離れるように方向付けるべく構成される。
【０１１８】
図１０２−３に示されるように、カートリッジ端壁の一方６５７５−２は、空気流入口の一方側に沿ってインターロックするようにまたは係合するように構成された長尺状隆起部６５７８を含み、また、カートリッジ端壁の他方６５７５−３は、空気流入口６５２７の他方側にインターロックするようにまたはまたは係合するように構成された長尺状クリップアーム６５７９を含む。例えば、空気流入口の一方側内に隆起部端が係合された後、エアフィルタカートリッジ６５７０は、クリップアーム６５７９が弾性的に撓んで空気流入口６５２７の他方側とスナップ嵌合により係合するまで空気流入口内へと回動される。カートリッジプルタブ６５９０が、クリップアーム側付近で前部から突出し、これにより、ユーザは、フィルタ媒体６５７４の取り外し／交換／洗浄のために、カートリッジプルタブ６５９０を引っ張って、エアフィルタカートリッジ６５７０を回動させて開放することができる。
【０１１９】
エアフィルタ６５７０は、流入空気を濾過するように構成されたフィルタ媒体６５７４を含む。一例において、フィルタ媒体６５７４は、医療用途においてノイズ吸収のために構成された三重積層シート複合体（例えば、吸音のためのポリエーテルポリウレタン可撓性発泡体、発泡体コアの一方側に設けられた構造的剛性のためのポリプロピレンシート裏張り、および発泡体コアの他方側に設けられた汚れ耐性のためのポリウレタンフィルム）であるAcousorb Foam（Air Safety Limited: Grade ASMSB160）を含んでもよい。しかしながら、他の適した発泡体またはフィルタ媒体が使用されてもよいことは、言うまでもない。
【０１２０】
フィルタ媒体６５７４は、空気入口を通して逆放射されるノイズを減少させるのに役立つように肉厚に形成される。一例において、フィルタ媒体６５７４は、約５〜１５ｍｍ、例えば５ｍｍ、１０ｍｍの厚さを有してもよい。一例においては、図１０２−７および図１０２−９に示されるように、１０ｍｍ厚のフィルタ媒体を形成するために、フィルタ媒体６５７４の２つの５ｍｍ片が組み合わされてもよい。一例において、このようなフィルタ媒体６５７４の５ｍｍ片は、ブロワ入口６５３２およびブロワ出口６５３４の付近でハウジングに沿って設けられた、前述した音響発泡体片６５３５（例えば、図１０１−５、１０１−６、１０１−８、１０１−９参照）のために使用されてもよい。
２．４  空気流路
【０１２１】
空気は、空気流入口２７を通してブロワ３０によりＦＧハウジング２０内へ引き込まて、空気流入口２７のエアフィルタ７０を通り、入口空気流ベーン６８および下端空気流ベーン８８に沿って、第２ブロワチャンバ壁８５の開口８５−１を介してブロワチャンバ２５の低圧側に入る。空気が、ブロワ３０のブロワ入口３２に引き込まれるとともに、所定量の加圧空気が、ブロワ出口３４でブロワ３０から抜け出て、ブロワチャンバ２５の高圧側に入る。加圧空気は、第１ブロワチャンバ壁６５のアパーチャ６５−１を介してブロワチャンバ２５から抜け出て、患者への供給のために、空気流出口２９を通過する。
別の空気流路
【０１２２】
言うまでもなく、ＦＧハウジング２０および／またはサスペンション装置４０は、例えば、別の空気流路を与えるために、ＰＣＢ５０を支持するために、および／または音などを吸収するために、別の構造体を含んでもよく、および／または支持してもよい。
【０１２３】
例えば、図２９−１〜図２９−３は、本技術の他の例に係るフロージェネレータ７１０を示す。この例では、空気流入口７２７および空気流出口７２９が、ＦＧハウジング７２０の同じ側に設けられる。ブロワ７３０は、ブロワの低圧側と高圧側との間にシールを形成するサスペンション装置７４０により、ブロワチャンバ７２５内に支持される。空気を流入口からブロワ入口７３２へと方向付けるあるいは案内するために、Ｕ形状入口空気流ベーン７６８（例えば、シリコーンから構成される）が低圧側に沿ってＦＧハウジング７２０および／またはサスペンション装置７４０に設けられる。入口空気流ベーン７６８は、音を反射させて流入口を通したノイズの逆流を減少させるための多くの表面を有する比較的長い入口流路を与える。ブロワ７３０を支持するとともに、吸音および懸架を行なうために、弓形またはＣ形状の音響発泡体片７３５が設けられてもよい。図２９−２および図２９−３に示されるように、サスペンション装置７４０は、実質的にＦＧハウジング７２０の中央内でブロワ７３０を支持するために、対称な上端部および下端部を含んでもよい。例えば、サスペンション装置の上縁および下縁は、ブロワの横軸から等距離にある。
【０１２４】
図３０は、本技術の他の例に係るフロージェネレータ８１０を示す。この例では、空気流入口８２７および空気流出口８２９が、ＦＧハウジング８２０の反対側に設けられる。湾曲したあるいは弓形の入口空気流ベーン８６８は、空気を空気流入口８２７からブロワ入口８３２へと方向付けるとともに、音を反射させて流入口を通じたノイズの逆流を減少させるための比較的長い入口流路を与える。一片の音響発泡体８３５が、入口空気流ベーン８６８に沿って設けられ、また、弓形壁またはブロワバッフル壁８６９（例えば、シリコーンから構成される）が、ブロワ入口８３２付近に設けられ、このブロワバッフル壁８６９は、ブロワ入口８３２を少なくとも部分的に取り囲む。入口空気流ベーン８６８は、硬質材料（例えば、プラスチック）または柔軟材料（例えば、シリコーン）から構成されてもよい。別の例では、一片の音響発泡体８３５だけが、空気流ベーンとして使用されてもよい。すなわち、空気流ベーンが、設けられない。
【０１２５】
図３０における断面積Ａ１、Ａ２、Ａ３、Ａ４は、ブロワの周囲で乱気流を防止するのに適したサイズを含む。例えば、そのような断面積は、１０ｍ／ｓ未満、例えば約５〜６ｍ／ｓの流速を与えるのに十分なサイズを有する。
【０１２６】
図３１−１および図３１−２は、本技術の他の例に係るフロージェネレータ９１０を示す。この例では、空気流入口９２７および空気流出口９２９が、ＦＧハウジング９２０の同じ側に設けられる。ブロワ９３０は、ブロワの低圧側と高圧側との間にシールを形成するサスペンション装置９４０により、ブロワチャンバ９２５内に支持される。空気経路をＰＣＢ９５０からシールするために、シリコーン壁９４０−１（例えば、サスペンション装置の延在部分であってもよい）が、設けられる。ＰＣＢ９５０が、シリコーン壁９４０−１に取り付けられてもよく（例えば、熱積層）、また、シリコーン壁９４０−１は、ハウジング部品間にシールを形成するとともに、ＰＣＢからの配線のためのシールされた出口を規定するために、上端ハウジング９２４と下端ハウジング９２６との間に位置される端部を含んでもよい。半硬質入口空気流ベーン９６８（例えば、シリコーンから構成され、また、随意的に、サスペンション装置の一部として成形されてもよい）が、空気を空気流入口９２７からブロワ入口９３２へと方向付ける。入口空気流ベーン９６８は、例えばベーンの破線の複数の外形により示されるように、ベーンが使用中に少なくとも部分的に屈曲できるようにするために、少なくとも一部が柔軟であってもよい。空気を方向付けて吸音するために、一片の音響発泡体９３５が、ＦＧハウジング９２０の端部に設けられてもよい。
【０１２７】
フロージェネレータ９１０は、空気流出口９２９から出る空気にとって、十分な隙間を与える。すなわち、隘路が十分な断面積を有する。また、空気流出口９２９の手前の領域の断面積Ａ１は、このポイントで乱流を防止するために空気流出口の直径よりも大きい。
【０１２８】
図３２−１〜図３２−３は、本技術の他の例に係るフロージェネレータ１０１０を示す。この例は、別の円筒状のブロワチャンバ１０２５を示し、ブロワチャンバ１０２５は、空気が低圧側でブロワに入ることができるようにするための少なくとも１つの開口１０８５−１と、空気が高圧側でブロワチャンバ１０２５から出ることができるようにするための少なくとも１つのアパーチャ１０６５−１と、を有する。サスペンション装置１０４０は、ブロワチャンバの低圧側と高圧側との間に、シールを形成する。
【０１２９】
図３４−１および図３４−２は、本技術の他の例に係るフロージェネレータ１１１０を示す。この例では、弓形またはＵ形状の音響発泡体片１１３５が、ブロワ出口１１３４付近に設けられ、また、この音響発泡体片は、空気を空気流出口１１２９へと方向付けて吸音を行なうために、ブロワ出口１１３４を少なくとも部分的に取り囲む。
【０１３０】
図３５−１および図３５−２は、本技術の他の例に係るフロージェネレータ１２１０を示す。この例において、ブロワ１２３０は、ブロワ壁部材１２２１によりＦＧハウジング１２２０内で懸架されてもよい。また、ＦＧハウジング１２２０を通過する空気流が、ＦＧハウジング１２２０内でブロワ１２３０を懸架するのに役立ってもよい。空気を空気流入口１２２７からブロワ１２３０のブロワ入口１２３２へと方向付けるために、１つまたは２つ以上の真っ直ぐなあるいは湾曲した入口空気流ベーン１２６８が設けられてもよい。
【０１３１】
図３６−１〜図３６−３は、本技術の他の例に係るフロージェネレータ１３１０を示す。この例では、空気を空気流入口１３２７からブロワ入口１３３２へと方向付けるために、入口空気流ベーンおよび／または内部壁１３６８が、設けられる。また、空気をブロワ出口１３３４から空気流出口１３２９へと方向付けるために、出口空気流ベーン１３９０が、空気流出口１３２９付近に設けられる。トップカバー１３２４またはサスペンション装置１３４０に設けられたシールカバー１３０８は、ＰＣＢ１３５０を収容して、ＰＣＢ１３５０を空気流路からシールする。
【０１３２】
図３７は、空気流入口１４２７とブロワ入口１４３２との間の空気流路に設けられた吸音材料または音響発泡体１４３５を含むフロージェネレータ１４１０を示す。
【０１３３】
図３８は、空気を空気流入口１５２７からブロワ入口１５３２へと方向付けるために弓形の入口空気流ベーン１５６８を含むフロージェネレータ１５１０を示す。
【０１３４】
図４０〜図４７は、空気流を方向付けて音を吸収するための壁および／または音響発泡体片を含むフロージェネレータの別の例を示す。
【０１３５】
例えば、図４０は、空気を空気流出口１７２９へと方向付けるためにブロワ出口１７３４を取り囲む環状壁または第１ブロワチャンバ壁１７６５を高圧側が含むフロージェネレータ１７１０を示す。また、ブロワ１７３０を支持するために、吸音および懸架を行なうために、および空気を空気流出口１７２９へと方向付けるために、弓形またはＣ形状の音響発泡体片１７３５が設けられてもよい。
【０１３６】
図４１は、本技術の他の例に係るフロージェネレータ１８１０を示す。この例において、低圧側は、ブロワ入口１８３２を取り囲む環状壁または第１ブロワチャンバ壁１８６５を含む。空気が空気流入口１８２７からブロワ入口１８３２へと流れることができるようにするために、１つまたは２つ以上のアパーチャ１８６５−１が、第１ブロワチャンバ壁１８６５に設けられる。空気を空気流入口１８２７からブロワ入口１８３２へと方向付けるために弓形の入口空気流ベーン１８６８が設けられる。一例において、入口空気流ベーン１８６８は、空気流を方向付けるための何らかの柔軟性を許容するべく半硬質（例えば、６０−８０デュロメーターショアＡのシリコーンから構成される）であってもよい。例えば、空気流ベーンの位置および形状は、流れを受け入れるように変えられてもよい。また、音を吸収して、空気をブロワ入口１８３２へと方向付けるために、音響発泡体片１８３５が、空気流路に沿って設けられてもよい。
【０１３７】
図４２は、本技術の他の例に係るフロージェネレータ１９１０を示す。この例では、音を吸収して空気を空気流入口１９２７からブロワ入口１９３２へと方向付けるために、低圧側が空気流路に沿って音響発泡体片１９３５を含む。
【０１３８】
図４３は、本技術の他の例に係るフロージェネレータ２０１０を示す。この例において、低圧側は、ブロワ入口２０３２を取り囲む環状壁または第１ブロワチャンバ壁２０６５を含む。空気が、空気流入口２０２７からブロワ入口２０３２へと流れることができるようにするために、１つまたは２つ以上のアパーチャ２０６５−１が、第１ブロワチャンバ壁２０６５に設けられる。空気を空気流入口２０２７から第１ブロワチャンバ壁２０６５のアパーチャ２０６５−１へと方向付けるために、入口空気流ベーン２０６８（例えば２個のベーンが示されるが、１、３、４個またはそれ以上のベーンが想定し得る）が設けられる。異なる流路形態を与えるために、入口空気流ベーンの形状が異なってもよい。また、音を吸収して、空気を空気流入口２０２７へと方向付けるために、音響発泡体片２０３５が設けられてもよい。
【０１３９】
図４４は、本技術の他の例に係るフロージェネレータ２１１０を示す。この例において、低圧側は、ブロワ入口２１３２を取り囲む環状壁または第１ブロワチャンバ壁２１６５を含む。空気が空気流入口２１２７からブロワ入口２１３２へと流れることができるようにするために、１つまたは２つ以上のアパーチャ２１６５−１が、第１ブロワチャンバ壁２１６５に設けられる。音を吸収して空気を空気流入口２１２７からブロワ入口２１３２へと方向付けるために、音響発泡体片２１３５が、空気流路に沿って設けられる。
【０１４０】
図４５は、音を吸収して空気を空気流入口２２２７からブロワ入口２２３２へと方向付けるための空気流路に沿う音響発泡体片２２３５の別の構成を含むフロージェネレータ２２１０の他の例を示す。
【０１４１】
図４６は、図４１に示されるフロージェネレータに類似するフロージェネレータ２３１０を示す。この例では、弓形のブロワバッフル壁２３６９に加えてあるいは代えて、１つまたは２つ以上の入口空気流ベーン２３６８が、空気流入口２３２７付近に設けられてもよい。
【０１４２】
図４７は、流入口付近の空気流ベーン２４６８と、音を吸収して空気を空気流入口２４２７からブロワ入口２４３２へと方向付けるための空気流路に沿う音響発泡体片２４３５の別の構成と、を含むフロージェネレータ２４１０の他の例を示す。
【０１４３】
図５８は、ブロワ３２３０のブロワ入口３２３２へと向かうダクト付き空気流入口３２２７を含むフロージェネレータ３２１０の他の例を示す。
【０１４４】
図５９は、ブロワ３３３０のブロワ出口３３３４からのダクト付き空気流出口３３２９を含むフロージェネレータ３３１０の他の例を示す。
【０１４５】
図６０は、低圧側と高圧側とを分離するためのブロワ３４３０の外周に沿う圧力シール３４４１を含むフロージェネレータ３４１０の他の例を示す。
【０１４６】
図６１は、ハウジング内部の中に（例えば、ブロワの側面に沿って）ＰＣＢ３５５０用のＰＣＢチャンバ３５３３−１を含むフロージェネレータ３５１０の他の例を示す。
【０１４７】
図６２は、ブロワ３６３０からのブロワリード線３６３８がサスペンション装置３６４０を貫通してＰＣＢ３６５０へと延在する、例えばリード線がサスペンション装置のペグまたはコーン３６４８を貫通して延在する、フロージェネレータ３６１０の他の例を示す。
【０１４８】
図６３は、図６２に類似するフロージェネレータ３７１０を示す。その一方で、空気をブロワ３７３０のブロワ入口３７３２へと方向付けるために、事前旋回入口空気流ベーン３７６８が、ブロワ３７３０に設けられる（例えば、オーバーモールドされる）。
【０１４９】
図６４は、ブロワ３８３０のためのサスペンション装置３８４０がブロワ３８３０のブロワ入口３８３２へと向かうダクト付き空気流入口３８２７を含むフロージェネレータ３８１０の他の例を示す。この構成は、ＰＣＢ３８５０のためのシールされたＰＣＢチャンバ３８３３−１を形成する。ブロワ３８３０からのブロワリード線３８３８は、ダクト付き空気流入口３８２７の壁を貫通して、および／またはブロワ３８３０を支持するサスペンション装置３８４０の側壁を貫通して、ＰＣＢ３８５０へと延びてもよい。
【０１５０】
図６５は、サスペンション装置３９４０がＰＣＢ３９５０をブロワ３９３０に隣接して支持するフロージェネレータ３９１０の他の例を示す。図示のように、ＰＣＢ３９５０は、サスペンション装置３９４０の支持部材３９４６を受けるための１つまたは２つ以上の貫通穴を含んでもよい。
【０１５１】
図６６および図６７は、例えばサスペンション装置４０４０のコーン４０４８に沿ってＦＧハウジング４０２０の壁を貫通して（図６６）、またはサスペンション装置４０４０の支持部材４０４６に沿ってＦＧハウジング４０２０の壁を貫通して（図６７）、給電コード４０１６をＰＣＢ４０５０からＦＧハウジング４０２０の外側へと経路付けるための例を示す。
【０１５２】
図６８は、ブロワリード線４１３８をブロワ４１３０からサスペンション装置４１４０に沿ってＦＧハウジング４１２０の外側のＰＣＢ４１５０へと経路付けるためのヒッチングポスト４１１７の一例を示す。
【０１５３】
図６９は、サスペンション装置４２４０がブロワ４２３０に隣接してＰＣＢ４２５０を支持するフロージェネレータ４２１０の他の例を示す。
【０１５４】
図７０は、ダクト付き流入口４２２７と、ＰＣＢ４２５０のためのシールされたチャンバを与えるサスペンション装置４２４０と、を含むフロージェネレータ４２１０の他の例を示す。
【０１５５】
図７１は、空気力学およびノイズ減衰のためにブロワ４３３０をＦＧハウジング４３２０内でハウジング壁から適切な間隔を隔てて支持するためのサスペンション装置４３４０を含むフロージェネレータ４３１０の他の例を示す。また、例えば音を吸収するために、サスペンション装置４３４０に沿って（例えば、サスペンション装置４３４０のコーン４３４８および／または支持部材４３４６に沿って）音響発泡体４２３５が設けられてもよい。
【０１５６】
図７３は、音響発泡体片４５３５を含むフロージェネレータ４５１０の他の例を示し、音響発泡体片４５３５は、音を吸収しつつ、ブロワ４５３０への空気流入口４５２７経路を規定し、ブロワ４５３０からの空気流出口４５２９経路を規定し、およびブロワ４５３０を支持する。
【０１５７】
図７４は、音を吸収しつつブロワ４６３０への空気流入口４６２７経路を規定する音響発泡体片またはシリコーン片４６３５を含むフロージェネレータ４６１０の他の例を示す。例えば衝撃および音を吸収するために、ＦＧハウジング４６２０の上端部および下端部に音響発泡体片またはシリコーン片４６３６が設けられてもよい。別の例では、図７５に示されるように、例えば音吸収を促進させるために、マフラー４６５５（例えば、その長さに沿って１つまたは２つ以上の開口を有するチューブ）が、発泡体片またはシリコーン片４６３５間の空気流入口４６２７経路内に設けられてもよい。
【０１５８】
図７６は、伝導ノイズを減少させるように配置された空気流路の概略図である。図示のように、空気流路は同心的な内側および外側円形チューブ４７０９、４７０４により規定され、チューブは、同心的な外側円形チューブ４７０４の側壁に沿う空気流入口４７２７と、同心的な内側円形チューブ４７０９により設けられた空気流出口４７２９と、を含む。
【０１５９】
図７７は、ブロワ４８３０と軸方向で位置合わせされるＦＧハウジング４８２０の空気流入口４８２７と空気流出口４８２９とを含むフロージェネレータ４８１０の概略図である。
【０１６０】
図７８は、ブロワ４９３０と軸方向で位置合わせされるＦＧハウジング４９２０の空気流出口４９２９と、空気流入口経路がブロワ４９３０の側面に沿って延在するようにブロワ４９３０から外側に同心的に配置される環状空気流入口４９２７と、を含むフロージェネレータ４９１０の概略図である。
【０１６１】
図７９は、ブロワ５０３０および入口チャンバ５０３３を含むフロージェネレータ５０１０の概略図である。入口チャンバ５０３３は、入口チャンバ５０３３内への空気の流入を許容するための空気流入口５０２７を含む。また、空気をブロワ入口へと方向付けるために、入口チューブ５０３１がブロワ入口５０３２から少なくとも部分的に入口チャンバ５０３３内へと延在する。出口チューブ５０３６が、ブロワ出口５０３４からブロワチャンバ５０２５の外側へと延在する。例えば音を吸収するために、音響発泡体５０３５（例えば、シリコーン発泡体）が、入口チャンバ５０３３内に設けられる。
【０１６２】
図８０−１〜図８０−５は、本技術の他の例に係るフロージェネレータ５１１０を示す。この例では、空気流入口５１２７および空気流出口５１２９が、ＦＧハウジング５１２０の同じ側に設けられる。ブロワ５１３０を制御するためのＰＣＢ５１５０が、ＦＧハウジング５１２０の後壁に設けられる。この場合、空気流入口５１２７および空気流出口５１２９の側と反対のフロージェネレータ５１１０の後側に沿って、ディスプレイとＰＣＢ５１５０の制御器とが見える。一例において、図８０−１に示されるように、フロージェネレータ５１１０は、約８５〜１０５ｍｍ（例えば９７ｍｍ）の長さＬ、約７５〜９５ｍｍ（例えば８８ｍｍ）の幅Ｗ、および、約３０〜５０ｍｍ（例えば４０ｍｍ）の高さＨを有してもよい。しかしながら、他の適した寸法が想定し得ることは言うまでもない。
【０１６３】
図８１−１〜図８１−５は、本技術の他の例に係るフロージェネレータ５２１０を示す。この例では、空気流入口５２２７および空気流出口５２２９がＦＧハウジング５２２０の同じ側に設けられる。ブロワ５２３０を制御するためのＰＣＢ５２５０がＦＧハウジング５２２０の上壁に設けられる。この場合、フロージェネレータ５２１０の上端側に沿って、ディスプレイとＰＣＢ５２５０の制御器とが見える。一例において、図８１−１に示されるように、フロージェネレータ５２１０は、約８５〜１０５ｍｍ（例えば９７ｍｍ）の長さＬ、約７５〜９５ｍｍ（例えば８８ｍｍ）の幅Ｗ、および、約４０〜６０ｍｍ（例えば４９ｍｍ）の高さＨを有してもよい。しかしながら、他の適した寸法が想定し得ることは言うまでもない。
【０１６４】
図８２−１〜図８２−３は、本技術の他の例に係るフロージェネレータ５３１０を示す。この例では、ＦＧハウジング５３２０の空気流出口５３２９がブロワ５３３０と軸方向で位置合わせされる。また、空気流入口５３２７は、空気流出口５３２９から外側に同心的に配置される入口開口５３２７−３の環状配列を含む。ＦＧハウジング５３２０は、ブロワ５３３０の側面に沿って入口空気流路を形成する、環状入口チャンバ５３３３をもたらす。
【０１６５】
一例において、図８２−１に示されるように、フロージェネレータ５３１０は、約９０〜１２０ｍｍ（例えば１０４ｍｍ）の直径Ｄと、約３０〜６０ｍｍ（例えば４４ｍｍ）の高さＨとを有してもよい。しかしながら、他の適した寸法が想定し得ることは言うまでもない。
【０１６６】
図８３−１〜図８３−３は、本技術の他の例に係るフロージェネレータ５４１０を示す。この例では、ＦＧハウジング８４２０の空気流出口５４２９が、ブロワ５４３０と軸方向で位置合わせされる。また、空気流入口５４２７は、空気流出口５４２９から外側に同心的に配置される入口開口５４２７−３の環状配列を含む。ブロワ５４３０のためのサスペンション装置５４４０は、ブロワ５４３０の側面に沿って入口空気流路を形成する環状入口チャンバ５４３３をもたらす。
【０１６７】
一例において、図８３−１に示されるように、フロージェネレータ５４１０は、約９０〜１２０ｍｍ（例えば１００ｍｍ）の直径Ｄと、約３０〜６０ｍｍ（例えば４８ｍｍ）の高さＨとを有してもよい。しかしながら、他の適した寸法が想定し得ることは言うまでもない。
３．可撓性ハウジングを有するフロージェネレータ
【０１６８】
図２８は、本技術の他の例に係るフロージェネレータ６１０を示す。この例において、フロージェネレータ６１０は、バッグ状のＦＧハウジング６２０、例えば織物、プラスチック、または金属ワイヤスケルトンから構成される可撓性ハウジングを含む。ブロワ６３０は、例えばエラストマー材料から構成されたサスペンション装置６４０により、ＦＧハウジング６２０内に支持される。ブロワ６３０を支持するとともに吸音および懸架を行なうために、音響発泡体片またはファイバ６３５もＦＧハウジング６２０内に設けられる。空気流入口６２７および空気流出口６２９（すなわち、出口ハウジング６２３に設けられた）が、ＦＧハウジング６２０に設けられた有孔エラストマー部分により与えられてもよい。エアフィルタ６７０が、空気流入口６２７付近に設けられてもよい。
【０１６９】
使用時、フロージェネレータ６１０の形状が、略円筒形から球または楕円へと変えられてもよく、これにより空気流入口６２７および空気流出口６２９を軸方向でシフトさせることができる。一例では、長手方向における最大長が出口側で減少されてもよい。また、ブロワ６３０の中心軸が、ＦＧハウジング６２０の垂直軸に対して略直交して方向付けられてもよく（図２８に示されるように）、あるいはブロワ６３０が垂直軸に対して角度を成して方向付けられてもよい。
４．別のチャンバ構造を有するフロージェネレータ
【０１７０】
図３９は、本技術の他の例に係るフロージェネレータ１６１０を示す。この例では、フロージェネレータ１６１０が異なるチャンバを含み、各チャンバが空気流路のための特定の目的を与える。例えば、フロージェネレータ１６１０は、空気を空気流入口からブロワ入口へと方向付けるための空気入口チャンバ１６３３と、ブロワ（図示省略）を支持するためのブロワチャンバ１６２５と、空気をブロワ出口から空気流出口へと方向付けるための空気出口チャンバ１６３７と、ＰＣＢを支持するためのＰＣＢチャンバ１６３９と、を含む。
５．マイクロホン支持体
【０１７１】
一例では、患者が寝ている間に与えられる患者の呼吸およびノイズ（例えばいびき）を監視するために、ＰＣＢ５０、５５０、９５０、１３５０、１６５０、２６５０、２７５０、３０５０、３１５０、３３５０、３５５０、３６５０、３８５０、３９５０、４０５０、４１５０、４２５０、５１５０、５２５０、５５５０に対してマイクロホンが設けられてもよい。この情報は、患者のスコアまたは評価を決定するために使用されてもよい。このような評価の更なる詳細は、２０１１年２月１６日に出願された特許文献３および２０１１年６月２１日に出願された特許文献４に開示され、これらの各出願は、その全体が参照により本願に組み入れられる。
【０１７２】
図５３〜図５７は、フロージェネレータのハウジングと共にマイクロホン３０９６を装着するあるいは支持するための別の構成を示す。例えば、図５３は、トップカバー３０２４、筐体３０２２、およびボトムカバー３０２６を有するフロージェネレータハウジング３０２０を示す。ＰＣＢ３０５０は、マイクロホン３０９６を筐体３０２２により与えられる空気流路内に位置されるように支持する。
【０１７３】
図５４は、高圧側空気経路内でマイクロホン３１９６を支持するＰＣＢ３１５０を示す。図示のように、マイクロホン３１９６は、筐体３１２２の開口を貫通して延在し、また、空気がブロワ３１５０から空気流出口３１２９へと流れる際に、マイクロホン３１９６を保護するために、弓形筐体壁３１２２−１が、筐体３１２２から延在する。例えばマイクロホン３１９６を保護するが、マイクロホンによる監視を可能にするために、空気流路と連通する弓形筐体壁３１２２−１により画定される開口内に、発泡体３１３５が設けられる。例えば吸音のために、追加発泡体片３１３５ａが、筐体３１２２と共に設けられてもよい。
【０１７４】
図５５は、高圧側空気経路内でマイクロホン３２９６を支持するＰＣＢ３２５０を示す。図示のように、マイクロホン３２９６は、筐体３２２２の開口を貫通して延在し、また、マイクロホン３２９６を保護するために、筐体壁３２２２−１が開口を取り囲む。例えば吸音のため、筐体壁３２２２−１の周囲に、筐体３１２２の上壁に沿って発泡体３２３５が、設けられてもよい。
【０１７５】
図５６は、高圧側空気経路内でマイクロホン３３９６を支持するＰＣＢ３３５０を示す。図示のように、マイクロホン３３９６は、筐体３３２２の開口を貫通して延在し、また、マイクロホン３３９６を保護するために筐体壁３３２２−１が開口を取り囲む。例えばマイクロホン３３９６を保護するが、マイクロホン３３９６による監視を可能にするために、筐体壁３３２２−１により画定される開口を、発泡体３３３５が覆う。
【０１７６】
図５７は、図５４に類似するとともに同様の参照数字を用いて示される例を示す。この例は、前述したようにブロワ３１３０を支持するサスペンション装置３１４０の可撓性コーン３１４８に対するマイクロホン３１９６の典型的な位置を示す。すなわち、マイクロホン３１９６とブロワ３１３０との間に、機械的接触はない。
６．ブロワ隙間
【０１７７】
一例において、ブロワ３０、３３０、４３０、５３０、６３０、７３０、９３０、１２３０、１６３０、３１３０、３２３０、３３３０、３４３０、３６３０、３７３０、３８３０、３９３０、４１３０、４２３０、４３３０、４４３０、４５３０、４６３０、４８３０、４９３０、５０３０、５１３０、５２３０、５３３０、５４３０、６５３０は、例えば空気流、音響のために、ブロワ入口３２、３３２、７３２、８３２、９３２、１１３２、１４３２、１５３２、１６３２、１８３２、１９３２、２０３２、２１３２、２２３２、２４３２、３２３２、５０３２、６５３２、ブロワ出口３４、３３４、７３４、８３４、１１３４、１３３４、１６３４、１７３４、３３３４、５０３４、６５３４、およびブロワの側面がハウジング壁から十分に離間されるように、ＦＧハウジング４０、２４０、６４０、７４０、９４０、１０４０、３１４０、３６４０、３８４０、３９４０、４０４０、４１４０、４２４０、４３４０、４４４０、５４４０、６５４０の内部の中で支持される。例えば、図８７に示されるように、ブロワ入口３２およびブロワ出口３４は、ＦＧハウジング２０の上端壁および下端壁から距離Ｄ１、Ｄ２だけあるいは約５〜２０ｍｍ（例えば、８ｍｍ、１０ｍｍ）だけ離間される。また、ブロワ３０の側面は、ＦＧハウジング２０の側壁から距離Ｄ３、Ｄ４だけあるいは約５〜２０ｍｍ（例えば、１０ｍｍ、１２ｍｍ）だけ離間される。しかしながら、例えば空気流路に応じて、他の適した隙間が想定し得ることが言うまでもない。
【０１７８】
本技術の更なる態様は以下を含む。
【０１７９】
１．ハウジングと、
空気流路へ与えられるべき加圧された呼吸に適した空気（pressurized breathable air）の流れを発生させるように構成されたブロワと、
ハウジング内でブロワを支持するとともに、ブロワの低圧側と高圧側との間に圧力シールを形成するためのサスペンション装置と、
を備え、サスペンション装置は、ブロワに対して少なくとも径方向に加えられた衝撃を吸収するためにブロワの外周に沿って設けられたベローズ状部（bellows-like portion）と、ブロワに対して少なくとも軸方向に加えられた衝撃を吸収するためにブロワの上側面および／または下側面に沿って設けられた１つまたは２つ以上のコーン（cornes）と、を含む、フロージェネレータ。
【０１８０】
２．サスペンション装置が、エラストマー材料から構成された態様１に記載のフロージェネレータ。
【０１８１】
３．サスペンション装置は、ブロワの形状にほぼ適合する全体外形状を含む態様１または態様２に記載のフロージェネレータ。
【０１８２】
４．サスペンション装置が、略円筒形状を含む態様１から３のいずれか１つに記載のフロージェネレータ。
【０１８３】
５．サスペンション装置は、対向する壁の間でブロワを支持する対向する壁と、対向する壁から延在する環状支持部材と、を含む態様１から４のいずれか１つに記載のフロージェネレータ。
【０１８４】
６．支持部材は、ベローズ状部と、ハウジングにより支持された端部と、を含む態様５に記載のフロージェネレータ。
【０１８５】
７．各壁が、１つまたは２つ以上のコーンを含む態様５または態様６に記載のフロージェネレータ。
【０１８６】
８．コーンが、同心的に配置される態様１から７のいずれか１つに記載のフロージェネレータ。
【０１８７】
９．ハウジングは、ブロワおよびサスペンション装置をハウジング内に保持するためのブロワチャンバを含む態様１から８のいずれか１つに記載のフロージェネレータ。
【０１８８】
１０．ブロワチャンバは、空気がブロワにその低圧側で入ることができるようにするための少なくとも１つの開口と、空気がブロワチャンバからその高圧側で出ることができるようにするための少なくとも１つの開口と、を含む態様９に記載のフロージェネレータ。
【０１８９】
１１．ハウジングは、空気流路の外側でＰＣＢを受けて支持するように構成された態様１から１０のいずれか１つに記載のフロージェネレータ。
【０１９０】
１２．ハウジングは、その両側に設けられた空気流入口および空気流出口を含む態様１から１１のいずれか１つに記載のフロージェネレータ。
【０１９１】
１３．空気流入口に設けられたエアフィルタをさらに備える態様１２に記載のフロージェネレータ。
【０１９２】
１４．ハウジングは、その側壁の外周に沿って１つまたは２つ以上の壁リブを含む態様１から１３のいずれか１つに記載のフロージェネレータ。
【０１９３】
１５．ブロワを制御するためのＰＣＢをさらに備え、ＰＣＢは、ハウジング内に支持されるとともに、ＰＣＢからハウジングの外側へと直接延在する給電用の給電リード線を含む態様１から１４のいずれか１つに記載のフロージェネレータ。
【０１９４】
１６．ブロワを制御するためのＰＣＢをさらに備え、ブロワは、ＰＣＢに直接接続されたマグネットワイヤ（magnet wire）を含む態様１から１５のいずれか１つに記載のフロージェネレータ。
【０１９５】
１７．空気を方向付けて吸音するために空気流路に沿って１つまたは２つ以上の音響発泡体片をさらに備える態様１から１６のいずれか１つに記載のフロージェネレータ。
【０１９６】
１８．空気流入口および空気流出口を含むハウジングと、
ハウジングに設けられ、加圧された呼吸に適した空気の流れを発生させるように構成されたブロワと、
を備え、ハウジングは、乱気流を防止するのに十分なサイズのその長さに沿って断面積を与える、空気流入口から空気流出口へと向かう空気流路を含む、フロージェネレータ。
【０１９７】
１９．断面積は、１０ｍ／ｓ未満の流速を与えるのに十分なサイズを有する態様１８に記載のフロージェネレータ。
【０１９８】
２０．断面積は、約５〜６ｍ／ｓの流速を与えるのに十分なサイズを有する態様１８または態様１９に記載のフロージェネレータ。
【０１９９】
２１．空気流入口および空気流出口を含むハウジングと、
ハウジングに設けられ、加圧された呼吸に適した空気の流れを発生させるように構成されたブロワと、
を備え、ハウジングは、ノイズを減少させるためにその長さに沿って１つまたは２つ以上の反射面を規定する、空気流入口から空気流出口へと向かう空気流路を含む、フロージェネレータ。
【０２００】
２２．ハウジングは、空気流入口を通して逆放射されるノイズ（noise emitted back ）を防止するように、ブロワに対するノイズバリアを与えるためにおよび／またはブロワからのノイズを反射させるために、反射面を有する１つまたは２つ以上の空気流ベーンを含む態様２１に記載のフロージェネレータ。
【０２０１】
２３．１つまたは２つ以上の空気流ベーンは、流入口から流入する空気流を方向付けるために流入口付近に設けられた態様２２に記載のフロージェネレータ。
【０２０２】
２４．フロージェネレータであって、
ハウジングと、
加圧された呼吸に適した空気の流れを発生させるように構成されたブロワと、
フロージェネレータの任意の方向の動作を可能にするためにブロワをハウジング内で支持するように構成されたサスペンション装置と、
を備えるフロージェネレータ。
【０２０３】
２５．サスペンション装置がブロワを封入し、ブロワの入口および出口の周囲に隙間が設けられた態様２４に記載のフロージェネレータ。
【０２０４】
２６．サスペンション装置が、ほぼ対称な形状を有する態様２４または態様２５に記載のフロージェネレータ。
【０２０５】
２７．サスペンション装置は、ブロワの低圧側と高圧側との間に圧力シールをさらにもたらす態様２４から２６のいずれか１つに記載のフロージェネレータ。
【０２０６】
２８．サスペンション装置は、ブロワに対して少なくとも径方向に加えられた衝撃を吸収するためにブロワの外周に沿って設けられたベローズ状部と、ブロワに対して少なくとも軸方向に加えられた衝撃を吸収するためにブロワの上側面および／または下側面に沿って設けられた１つまたは２つ以上のコーンと、を含む態様２４から２７のいずれか１つに記載のフロージェネレータ。
【０２０７】
２９．サスペンション装置が、エラストマー材料から構成された態様２４から２７のいずれか１つに記載のフロージェネレータ。
【０２０８】
３０．空気流入口および空気流出口を含むハウジングと、
ハウジングに設けられ、加圧された呼吸に適した空気の流れを発生させるように構成されたブロワと、
ブロワによりハウジング内へ引き込まれる空気を濾過するために空気流入口に設けられたエアフィルタカートリッジであって、エアフィルタカートリッジが、カートリッジ本体と、カートリッジ本体により支持されるフィルタ媒体と、を含む、エアフィルタカートリッジと、
を備え、カートリッジ本体は、空気流をブロワのブロワ入口から離れるように方向付けるための構造を含む、フロージェネレータ。
【０２０９】
３１．カートリッジ本体は、エアフィルタカートリッジ内への入口開口を規定するグリル状前部または格子を含む態様３０に記載のフロージェネレータ。
【０２１０】
３２．カートリッジ本体は、空気流を方向付けるために略凹状の表面を規定する弓形状の空気方向付け壁を含む態様３０または態様３１に記載のフロージェネレータ。
【０２１１】
３３．エアフィルタカートリッジは、弓形状の空気方向付け壁が空気流をブロワのブロワ入口から離れるように方向付けるべく配置されるようにハウジングの空気流入口に設けられた態様３２に記載のフロージェネレータ。
【０２１２】
３４．弓形状の空気方向付け壁は、乱流を減少させるためにマニホールドとして作用する複数の空気方向付けベーンを含む態様３２または態様３３に記載のフロージェネレータ。
【０２１３】
３５．カートリッジ本体は、空気流入口の一方側に沿ってインターロックするようにまたは係合するように構成された一端壁に沿う長尺状隆起部と、空気流入口の他方側にスナップ嵌合によりインターロックするようにまたは係合するように構成された他端壁に沿う長尺状クリップアームと、を含む態様３０から３４のいずれか１つに記載のフロージェネレータ。
【０２１４】
３６．カートリッジ本体は、ユーザがエアフィルタカートリッジをハウジングから取り外すことができるように構成された、プルタブを含む態様３５に記載のフロージェネレータ。
【０２１５】
３７．フィルタ媒体が、約５〜１５ｍｍの厚さを有する態様３０から３６のいずれか１つに記載のフロージェネレータ。
【０２１６】
３８．ハウジングが、２つの空気流入口を含み、各流入口は、それぞれのエアフィルタカートリッジを支持するように構成された態様３０から３７のいずれか１つに記載のフロージェネレータ。
【０２１７】
３９．空気流入口は、空気流出口とは反対のハウジングのそれぞれの角部（corners）に沿って延在する態様３８に記載のフロージェネレータ。
【０２１８】
本技術を幾つかの例に関連して説明してきたが、本技術は、開示された例に限定されず、それどころか、本技術の思想および範囲内に含まれる様々な変更および等価構成を網羅するように意図されることは言うまでもない。また、前述した様々な例は、他の例と併せて実施されてもよい。例えば、１つの例の１つまたは２つ以上の態様は、更なる他の例を実現するために、他の例の態様と組み合わされてもよい。また、任意の所定のアセンブリのそれぞれの独立した特徴または構成要素が更なる例を構成してもよい。また、本技術はＯＳＡを患う患者に対して特定の用途を有するが、他の病気（例えば、鬱血性心不全、糖尿病、病的肥満、脳梗塞、肥満症治療手術など）を患う患者が前記技術から利益を得ることができることは言うまでもない。また、前記技術は、患者を伴っておよび非医療用途における非患者においても同様に適用性を有する。
【符号の説明】
【０２１９】
３３５，７３５，８３５，９３５，１１３５，１４３５，１７３５，１８３５，１９３５，２０３５，２１３５，２２３５，２４３５，３１３５，３２３５，３３３５，４２３５，４４３５，４５３５，５０３５，６５３５  音響発泡体
５５５６  作動機能部、マイクロスイッチ、抵抗フィルム、容量センサ
３１３５ａ  追加発泡体片
５  空気供給チューブまたは管路
７０，６７０，５８７０，５９７０，６０７０，６１７０，６５７０  エアフィルタ
２７，３２７，４２７，５２７，６２７，７２７，８２７，９２７，１２２７，１３２７，１４２７，１５２７，１８２７，１９２７，２０２７，２１２７，２２２７，２４２７，３２２７，３８２７，４１２７，４５２７，４６２７，４７２７，４８２７，４９２７，５０２７，５１２７，５２２７，５３２７，５４２７，５８２７，６１２７，６５２７  空気流入口
２９，３２９，４２９，７２９，８２９，９２９，１１２９，１３２９，１７２９，３１２９，３３２９，４５２９，４７２９，５１２９，５２２９，５３２９，６１２９，６５２９，７０２９  空気流出口
４６８−１，４６８−２  空気流ベーン
４３５−１，５３５−１  環状発泡体片
５３２８，５４２８  環状入口チャンバ
６５−１，１０６５−１，１８６５−１，２０６５−１  アパーチャ
６５０６  ベアリングカートリッジ
６５０３  ベアリングハウジング構造体またはディフューザ
３０，３３０，４３０，５３０，６３０，７３０，９３０，１２３０，３１３０，３２３０，３３３０，３４３０，３６３０，３７３０，３８３０，３９３０，４１３０，４２３０，４３３０，４４３０，４５３０，４６３０，４８３０，４９３０，５０３０，５１３０，５２３０，５３３０，５４３０，６５３０  ブロワ
５６９，８６９，２３６９  ブロワバッフル壁
２５，７２５，９２５，１６２５，４４２５，５０２５，６５２５  ブロワチャンバ
６５０８  ブロワハウジング
３２，３３２，７３２，８３２，９３２，１１３２，１４３２，１５３２，１８３２，１９３２，２０３２，２１３２，２２３２，２４３２，３２３２，５０３２，６５３２  ブロワ入口
３８，３６３８，３８３８，４１３８  ブロワリード線
３４，３３４，７３４，８３４，１１３４，１３３４，１７３４，３３３４，５０３４，６５３４  ブロワ出口
１２２１  ブロワ壁部材
８８  下端空気流ベーン
８６  下端分割壁
２６，３０２６，６５２６  ボトムカバーまたは第２カバー
８０，２５８０，２７８０，２８８０，２９８０，６５８０  ボタン
２９８０−２  ボタン突起
２９８０−１  ボタン凹部
６５８０−１  ボタンリム
６５７７  カートリッジ空気方向付けベーン
６５７５−１  カートリッジ空気方向付け壁
７２，６５７２，７０７２  カートリッジ本体
６５７５−２，６５７５−３  カートリッジ端壁
６５７３  カートリッジ前部
６５９０  カートリッジプルタブ
６５７５  カートリッジ後部
７０７９  カートリッジリブ
２２，３０２２，３１２２，３２２２，３３２２，６５２２  筐体または主ハウジング
６２−２  筐体外部
６４  筐体内部
６２−１  筐体内部
３１２２−１，３２２２−１，３３２２−１  筐体壁
６５７９  クリップアーム
７６  クリップ部
７０７５−１  凹面
２９２４−Ｐ  カバー突起
５２，２６５２，２７５２  ディスプレイ
６６５７８  長尺状隆起部
７０７６−１，７０７６−２  端壁
２４−１，２６−１  締結具開口
６９−１，６９−２  締結具レセプタクル
７０８１  フィルタ空気方向付けベーン
７０７５  フィルタ空気方向付け壁
７４，５９７４，６０７４，６１７４，６５７４  フィルタ媒体
６１７４−２  フィルタ媒体本体部
６１７４−３  フィルタ媒体リング部
５９７４−１  フィルタプルタブ
７０７０−１  第１エアフィルタ
６５，１７６５，１８６５，２０６５，２１６５  第１ブロワチャンバ壁
４２７−１，７０２７−１  第１入口
４８，３１４８，３６４８，４０４８，４３４８，６５４８  可撓性の脚、ペグ、またはコーン
１０，２１０，３１０，４１０，５１０，６１０，７１０，８１０，９１０，１０１０，１１１０，１２１０，１３１０，１４１０，１５１０，１６１０，１７１０，１８１０，１９１０，２０１０，２１１０，２２１０，２３１０，２４１０，３２１０，３３１０，３４１０，３５１０，３６１０，３７１０，３８１０３９１０，４２１０，４３１０，４４１０，４５１０，４６１０，４８１０，４９１０，５０１０，５１１０，５２１０，５３１０，５４１０，６５１０  フロージェネレータ
２０，２２０，３２０，４２０，５２０，６２０，７２０，８２０，９２０，１６２０，３０２０，４０２０，４１２０，４３２０，４４２０，４６２０，４８２０，５１２０，５２２０，５３２０，５４２０，５８２０，６０２０，６１２０，６５２０，７０２０  フロージェネレータハウジングまたはＦＧハウジング
４３５−２，５３５−２  発泡体ブロック
８１  隙間
６５７３，７０７３  格子
８３  溝
４１１７  ヒッチングポスト
７０７３  水平に延在する壁
２２４−Ｂ，２２６−Ｂ  ハウジングビード
２２４−Ｒ，２２６−Ｒ  ハウジング凹部
６５０１  インペラ
６８，３６８，７６８，８６８，９６８，１５６８，１８６８，２０６８，２３６８，２４６８，３７６８  入口空気流ベーン
５３２７−３，５４２７−３  入口開口
４４６８  入口キャップ
３３，３３３，１６３３，５０３３，６５３３  入口チャンバ
６５７３−１，７０７３−１  入口開口
５０３１  入口チューブ
４７０９  内側同心チューブ
２７５３  ＬＥＤアレイ
８２，２５８２，２８８２  リビングヒンジ
６５０２−２  マグネット
５９  マグネットワイヤ
６２  主筐体壁
３０９６，３１９６，３２９６  マイクロホン
６５０２  モータ
４６５５  マフラー
８５−１，１０８５−１，５３８５−１  開口
４７０４  外側同心チューブ
１３９０  出口空気流ベーン
１６３７  出口チャンバ
６２３  出口ハウジング
５０３３  出口チューブ
７  患者インタフェース
３５３３−１，３８３３−１  ＰＣＢチャンバ
２８  ＰＣＢフードまたは取り外し可能部分
６１  ペグ
４０１６  給電コード
６０  給電リード線または給電ケーブル
３４４１  圧力シール
５０，５５０，９５０，１３５０，２６５０，２７５０，３０５０，３１５０，３３５０，３５５０，３６５０，３８５０，３９５０，４０５０，４１５０，４２５０，５１５０，５２５０，５５５０  プリント回路基板（ＰＣＢ）
６５４６  径方向ベローズ状部
６５７８  隆起部
６５０７  ロータ
６５０２−３  ロータキャップ
１３０８  シールカバー
７０７０−２  第２エアフィルタ
８５，１７８５  第２ブロワチャンバ壁
４２７−２，７０２７−２  第２入口
６３  側壁
９４０−１  シリコーン壁
４６−２  Ｓ形状またはベローズ状の支持部
６５０２−１  ステータ構成要素
２４−２  ストップ構造体
４６−１  支持端部
４６，３９４６，４０４６，４３４６  支持部材
３１９６，３２９６，３３９６  マイクロホン
４２−１，４４−１  サスペンションアパーチャ
２４５−１  サスペンションビード
２４７  サスペンション外装部
４０，２４０，６４０，７４０，９４０，１０４０，３１４０，３６４０，３８４０，３９４０，４０４０，４１４０，４２４０，４３４０，４４４０，５４４０，６５４０  サスペンション装置または支持装置
２４５−２  サスペンション凹部
４９  サスペンションスリット
２４５  サスペンション支持部材
４２，４４，２４２，２４４  サスペンション壁
５４  スイッチ
２５９５  テーパ面
２４−ｗ  トップカバー壁
６６  上端分割壁
２４，２５２４，２６２４，２７２４，２８２４，２９２４，３０２４，５８２４，６５２４  トップカバーまたは第１カバー
６３−１，２６３−１  壁リブ
６７  ワイヤガイド
【図１】
2020018868.tif 000003
【図２】
2020018868.tif 000004
【図３】
2020018868.tif 000005
【図４】
2020018868.tif 000006
【図５】
2020018868.tif 000007
【図６】
2020018868.tif 000008
【図７】
2020018868.tif 000009
【図８】
2020018868.tif 000010
【図９】
2020018868.tif 000011
【図１０】
2020018868.tif 000012
【図１１】
2020018868.tif 000013
【図１２】
2020018868.tif 000014
【図１３】
2020018868.tif 000015
【図１４】
2020018868.tif 000016
【図１５】
2020018868.tif 000017
【図１６】
2020018868.tif 000018
【図１７】
2020018868.tif 000019
【図１８】
2020018868.tif 000020
【図１９】
2020018868.tif 000021
【図２０】
2020018868.tif 000022
【図２１】
2020018868.tif 000023
【図２２】
2020018868.tif 000024
【図２３−１】
2020018868.tif 000025
【図２３−２】
2020018868.tif 000026
【図２３−３】
2020018868.tif 000027
【図２３−４】
2020018868.tif 000028
【図２３−５】
2020018868.tif 000029
【図２３−６】
2020018868.tif 000030
【図２３−７】
2020018868.tif 000031
【図２４−１】
2020018868.tif 000032
【図２４−２】
2020018868.tif 000033
【図２５−１】
2020018868.tif 000034
【図２５−２】
2020018868.tif 000035
【図２５−３】
2020018868.tif 000036
【図２５−４】
2020018868.tif 000037
【図２５−５】
2020018868.tif 000038
【図２５−６】
2020018868.tif 000039
【図２５−７】
2020018868.tif 000040
【図２５−８】
2020018868.tif 000041
【図２５−９】
2020018868.tif 000042
【図２５−１０】
2020018868.tif 000043
【図２５−１１】
2020018868.tif 000044
【図２６−１】
2020018868.tif 000045
【図２６−２】
2020018868.tif 000046
【図２６−３】
2020018868.tif 000047
【図２７−１】
2020018868.tif 000048
【図２７−２】
2020018868.tif 000049
【図２７−３】
2020018868.tif 000050
【図２８】
2020018868.tif 000051
【図２９−１】
2020018868.tif 000052
【図２９−２】
2020018868.tif 000053
【図２９−３】
2020018868.tif 000054
【図３０】
2020018868.tif 000055
【図３１−１】
2020018868.tif 000056
【図３１−２】
2020018868.tif 000057
【図３２−１】
2020018868.tif 000058
【図３２−２】
2020018868.tif 000059
【図３２−３】
2020018868.tif 000060
【図３３】
2020018868.tif 000061
【図３４−１】
2020018868.tif 000062
【図３４−２】
2020018868.tif 000063
【図３５−１】
2020018868.tif 000064
【図３５−２】
2020018868.tif 000065
【図３６−１】
2020018868.tif 000066
【図３６−２】
2020018868.tif 000067
【図３６−３】
2020018868.tif 000068
【図３７】
2020018868.tif 000069
【図３８】
2020018868.tif 000070
【図３９】
2020018868.tif 000071
【図４０】
2020018868.tif 000072
【図４１】
2020018868.tif 000073
【図４２】
2020018868.tif 000074
【図４３】
2020018868.tif 000075
【図４４】
2020018868.tif 000076
【図４５】
2020018868.tif 000077
【図４６】
2020018868.tif 000078
【図４７】
2020018868.tif 000079
【図４８−１】
2020018868.tif 000080
【図４８−２】
2020018868.tif 000081
【図４９】
2020018868.tif 000082
【図５０】
2020018868.tif 000083
【図５１】
2020018868.tif 000084
【図５２−１】
2020018868.tif 000085
【図５２−２】
2020018868.tif 000086
【図５３】
2020018868.tif 000087
【図５４】
2020018868.tif 000088
【図５５】
2020018868.tif 000089
【図５６】
2020018868.tif 000090
【図５７】
2020018868.tif 000091
【図５８】
2020018868.tif 000092
【図５９】
2020018868.tif 000093
【図６０】
2020018868.tif 000094
【図６１】
2020018868.tif 000095
【図６２】
2020018868.tif 000096
【図６３】
2020018868.tif 000097
【図６４】
2020018868.tif 000098
【図６５】
2020018868.tif 000099
【図６６】
2020018868.tif 000100
【図６７】
2020018868.tif 000101
【図６８】
2020018868.tif 000102
【図６９】
2020018868.tif 000103
【図７０】
2020018868.tif 000104
【図７１】
2020018868.tif 000105
【図７２】
2020018868.tif 000106
【図７３】
2020018868.tif 000107
【図７４】
2020018868.tif 000108
【図７５】
2020018868.tif 000109
【図７６】
2020018868.tif 000110
【図７７】
2020018868.tif 000111
【図７８】
2020018868.tif 000112
【図７９】
2020018868.tif 000113
【図８０−１】
2020018868.tif 000114
【図８０−２】
2020018868.tif 000115
【図８０−３】
2020018868.tif 000116
【図８０−４】
2020018868.tif 000117
【図８０−５】
2020018868.tif 000118
【図８１−１】
2020018868.tif 000119
【図８１−２】
2020018868.tif 000120
【図８１−３】
2020018868.tif 000121
【図８１−４】
2020018868.tif 000122
【図８１−５】
2020018868.tif 000123
【図８２−１】
2020018868.tif 000124
【図８２−２】
2020018868.tif 000125
【図８２−３】
2020018868.tif 000126
【図８３−１】
2020018868.tif 000127
【図８３−２】
2020018868.tif 000128
【図８３−３】
2020018868.tif 000129
【図８４】
2020018868.tif 000130
【図８５】
2020018868.tif 000131
【図８６】
2020018868.tif 000132
【図８７】
2020018868.tif 000133
【図８８】
2020018868.tif 000134
【図８９】
2020018868.tif 000135
【図９０】
2020018868.tif 000136
【図９１】
2020018868.tif 000137
【図９２−１】
2020018868.tif 000138
【図９２−２】
2020018868.tif 000139
【図９３−１】
2020018868.tif 000140
【図９３−２】
2020018868.tif 000141
【図９４−１】
2020018868.tif 000142
【図９４−２】
2020018868.tif 000143
【図９５】
2020018868.tif 000144
【図９６】
2020018868.tif 000145
【図９７】
2020018868.tif 000146
【図９８】
2020018868.tif 000147
【図９９】
2020018868.tif 000148
【図１００】
2020018868.tif 000149
【図１０１−１】
2020018868.tif 000150
【図１０１−２】
2020018868.tif 000151
【図１０１−３】
2020018868.tif 000152
【図１０１−４】
2020018868.tif 000153
【図１０１−５】
2020018868.tif 000154
【図１０１−６】
2020018868.tif 000155
【図１０１−７】
2020018868.tif 000156
【図１０１−８】
2020018868.tif 000157
【図１０１−９】
2020018868.tif 000158
【図１０１−１０】
2020018868.tif 000159
【図１０１−１１】
2020018868.tif 000160
【図１０２−１】
2020018868.tif 000161
【図１０２−２】
2020018868.tif 000162
【図１０２−３】
2020018868.tif 000163
【図１０２−４】
2020018868.tif 000164
【図１０２−５】
2020018868.tif 000165
【図１０２−６】
2020018868.tif 000166
【図１０２−７】
2020018868.tif 000167
【図１０２−８】
2020018868.tif 000168
【図１０２−９】
2020018868.tif 000169
【図１０３−１】
2020018868.tif 000170
【図１０３−２】
2020018868.tif 000171
【図１０３−３】
2020018868.tif 000172
【図１０３−４】
2020018868.tif 000173
【図１０３−５】
2020018868.tif 000174
【図１０４】
2020018868.tif 000175
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
睡眠呼吸障害の治療のための陽性気道圧（ＰＡＰ）システム用のフロージェネレータであって、前記フロージェネレータは、
空気流入口および空気流出口を含む、ハウジングと、
前記ハウジングに設けられたブロワであって、加圧された呼吸に適した空気の流れを発生するように構成されたブロワと、
を備え、
前記ハウジングは、前記空気流入口から前記ブロワのブロワ入口までの入口空気流路を含み、前記ハウジングは、前記ブロワのブロワ出口から前記空気流出口までの出口空気流路を含み、
前記入口空気流路と前記出口空気流路は、使用時に乱気流を防ぐのに十分なサイズの長さに沿った断面積を提供するフロージェネレータ。
【請求項２】
前記断面積は、１０ｍ／ｓ未満の流速を提供するのに十分なサイズである請求項１に記載のジェネレータ。
【請求項３】
前記断面積は、約５〜６ｍ／ｓの流速を提供するのに十分なサイズである請求項１に記載のジェネレータ。
【請求項４】
前記出口空気流路に沿った断面積は、前記入口空気流路に沿った断面積よりも大きい請求項１から３のいずれか一項に記載のジェネレータ。
【請求項５】
前記出口空気流路は、前記空気流出口の手前の領域を含み、前記空気流出口の手前の領域は、前記空気流出口の断面積より大きい断面積を有する請求項１から４のいずれか一項に記載のジェネレータ。
【請求項６】
前記空気流入口および前記空気流出口は、前記ハウジングの両側に設けられている請求項１から５のいずれか一項に記載のジェネレータ。
【請求項７】
空気を前記空気流入口から前記ブロワのブロワ入口に導くために、前記入口空気流路に沿った入口空気流ベーンをさらに備える請求項１から６のいずれか一項に記載のジェネレータ。
【請求項８】
前記入口空気流ベーンは、その長さに沿って湾曲している又は弓形である請求項７に記載のジェネレータ。
【請求項９】
前記入口空気流ベーンは音響発泡体を含む請求項７又は８に記載のジェネレータ。
【請求項１０】
前記入口空気流ベーンに沿った音響発泡体をさらに含む請求項７又は８に記載のジェネレータ。
【請求項１１】
前記入口空気流ベーンは、プラスチックまたはシリコーンを含む請求項１０に記載のジェネレータ。
【請求項１２】
前記入口空気流路に沿ったバッフル壁をさらに含み、前記バッフル壁は、前記ブロワのブロワ入口を少なくとも部分的に取り囲むように構成および配置されている請求項１から１１のいずれか一項に記載のジェネレータ。
【請求項１３】
前記バッフル壁は、その長さに沿って湾曲している又は弓形である請求項１２に記載のジェネレータ。
【請求項１４】
前記バッフル壁はシリコーンを含む請求項１２又は１３に記載のジェネレータ。
【外国語明細書】
2020018868000001.pdf